(57)【要約】【課題】マット上の身体の部分的な箇所の温度調整が可能で、しかも、むれが生ぜず、構造が簡単で使い易い温度調整マットを提供する。【解決手段】マット１の表面には、少なくとも１つの部分的な温度調整対象領域２，３を予め定める。その温度調整対象領域のマット内部領域には空気を循環させるための空気循環通路を設ける。また、その空気循環通路に空気を強制的に循環させるための空気循環手段１０，１６と、循環空気の温度調整を行うための循環空気温度調整手段８，９と、温度調整対象領域２，３上の身体部分の体温を検出する体温検出手段と、体温検出手段の検出値を利用して空気循環手段１０，１６と循環空気温度調整手段８，９の駆動制御を行う制御部とを設ける。【選択図】図２
2007175476.tif 000002
【特許請求の範囲】
【請求項１】
マット上の身体の温度調整を行う機能を備えた温度調整マットであって、このマットの身体側の表面には、少なくとも１つの部分的な温度調整対象領域が予め定められ、その温度調整対象領域のマット内部領域内に空気を循環させるための空気循環通路がその一部を前記温度調整対象領域のマット表皮部位に沿わせる形態で形成され、当該空気循環通路の少なくとも一部は通気性の高い高通気性材料により構成されており、
その空気循環通路に空気を強制的に循環させるための空気循環手段と、空気循環通路を循環している空気の温度を調整して前記温度調整対象領域上の身体部位を温度調整する循環空気温度調整手段と、前記温度調整対象領域上の身体部位の体温を検出する体温検出手段と、この体温検出手段の検出値に基づいて前記温度調整対象領域上の身体部位の体温が予め設定された目標の温度となるように空気循環手段および循環空気温度調整手段の駆動制御を行う制御部とが設けられていることを特徴とする温度調整マット。
【請求項２】
マット上の身体の状態を検出する身体状態検知手段が設けられており、この身体状態検知手段により検出される身体状態に基づいて温度調整対象領域上の身体部位の目標の温度を設定するためのデータが予め与えられており、制御部は、身体状態検知手段により検出される身体状態の情報と、上記データとに基づいて温度調整対象領域上の身体部位の目標の温度を設定し、体温検出手段の検出値がその目標の温度となるように空気循環手段および循環空気温度調整手段の駆動制御を行うことを特徴とする請求項１記載の温度調整マット。
【請求項３】
マットの外側の周囲環境情報を検出する外部検知手段が設けられており、少なくとも外部検知手段により検出される周囲環境情報に基づいて温度調整対象領域上の身体部位の目標の温度を設定するためのデータが予め与えられており、制御部は、外部検知手段により検出される周囲環境情報と、上記データとに基づいて温度調整対象領域上の身体部位の目標の温度を設定し、体温検出手段の検出値がその目標の温度となるように空気循環手段および循環空気温度調整手段の駆動制御を行うことを特徴とする請求項１又は請求項２記載の温度調整マット。
【請求項４】
マットの身体側の表面には複数の温度調整対象領域が予め定められ、各温度調整対象領域毎に、それぞれ、空気循環通路と、空気循環手段と、循環空気温度調整手段とが設けられており、制御部は、各温度調整対象領域毎に、空気循環手段および循環空気温度調整手段の駆動制御を行うことを特徴とする請求項１又は請求項２又は請求項３記載の温度調整マット。
【請求項５】
マット内の空気の一部を放出するための放出口が設けられると共に、その放出口から放出された空気量を補完するために外部の空気をマット内に取り込む空気取り込み口が設けられていることを特徴とする請求項１乃至請求項４の何れか１つに記載の温度調整マット。
【請求項６】
循環空気温度調整手段を内蔵した循環空気温度調整ユニットがマット外部に外付けされており、空気循環通路の一部は循環空気温度調整ユニット内に形成されていることを特徴とする請求項１乃至請求項５の何れか１つに記載の温度調整マット。
【請求項７】
体温検出手段は、マット上の身体部位に装着可能な部材に設けられていることを特徴とする請求項１乃至請求項６の何れか１つに記載の温度調整マット。
【請求項８】
空気循環による温度調整対象領域以外の非空気循環領域のマット表面部位上の身体部分に熱と光と振動のうちの何れかのエネルギーを与える患部治療手段が設けられていることを特徴とする請求項１乃至請求項７の何れか１つに記載の温度調整マット。
【請求項９】
制御部は、空気循環による温度調整対象領域の空気循環手段および循環空気温度調整手段の駆動制御を行い、また、その駆動制御とは別に非空気循環領域の患部治療手段の駆動制御を予め与えられた制御用プログラムに基づいて独立的に行う構成とし、空気循環による温度調整対象領域上の身体部位の温度調整および非空気循環領域上の身体部位の患部治療手段による治療の同時動作と、空気循環による温度調整対象領域上の身体部位の温度調整のみの動作と、非空気循環領域上の身体部位の患部治療手段による治療のみの動作とを行うことを特徴とする請求項８記載の温度調整マット。
【請求項１０】
請求項１乃至請求項９の何れか１つに記載の空気循環手段を手動操作するための空気循環手段用手動操作手段と、請求項１乃至請求項９の何れか１つに記載の循環空気温度調整手段を手動操作するための循環空気温度調整手段用手動操作手段と、請求項９に記載の患部治療手段を手動操作する患部治療手段用手動操作手段とのうちの少なくとも一つが設けられており、制御部は、空気循環手段用手動操作手段あるいは循環空気温度調整手段用手動操作手段あるいは患部治療手段用手動操作手段が手動操作されたときには、空気循環手段あるいは循環空気温度調整手段あるいは患部治療手段の自動制御を停止して、空気循環手段用手動操作手段あるいは循環空気温度調整手段用手動操作手段あるいは患部治療手段用手動操作手段による手動操作を優先させることを特徴とする温度調整マット。
【発明の詳細な説明】
【技術分野】
【０００１】
本発明は、睡眠用の布団やベッド等の寝具や、非睡眠用としてのリハビリテーションや療養、救急医療を含む医療用として用いられるマットレス、またはソファ等の温度調整機能を備えた温度調整マットに関するものである。
【背景技術】
【０００２】
近年、社会の成熟化や高齢化の進展により、健全な体調の維持・増進に支障をきたす人々が増加しつつある。また、概ね健康であっても膝や肩等の局所的な身体部分が冷える、あるいは痛むというようなことを訴える人々も増えつつある。これらの人々は日常生活において、新陳代謝を高めて血行をよくするためにヒーターを内蔵するサポーターを用いたり、医薬品を服用したり、温浴したり、温湿布やマッサージ器具等を用いて、身体の冷えや痛みの患部の症状を緩和している。
【０００３】
【特許文献１】特開平６−３１５４２４号公報
【発明の開示】
【発明が解決しようとする課題】
【０００４】
しかし、通常、上記のような症状を緩和するための処置は座位、あるいは立位において行われており、就寝中や、身体の横臥状態において患部を加温したり、冷やす等の温度調整は行われておらず、身体の動きが不自由な高齢者や、座位の姿勢が苦痛な人たちにとっては不便を感じていた。また、横臥状態において患部の痛みを緩和する手段が無かった。
【０００５】
また、痛みや冷え等の度合いは各人各様であるが、温湿布等では、それぞれの患部の痛みや冷え等の症状の度合いに合った最も心地よい温度に調整することは出来なかった。さらに、熱中症で倒れた人や火傷を負った人等というような体温が４０度を超える状態になった人々や、例えば事故により大量に出血した人というような体温が異常に低下した人々を運搬するストレッチャー等の救急医療用具・機器には、横臥状態で患者の体温を身体機能の維持に必要な温度範囲内に適切に調整することの出来るものが無かった。例えば、多量出血者に対しては電気毛布をかける等の処置が成されてきたが、電気毛布で患者を適切に温度調整することは非常に難しく、このため、温度調整が不適切であったために必要な発汗が妨げられたり、患者がうっ血状態になる等の不具合があった。また、老人性低体温症患者のための医療用品に関しても同様に、横臥状態で患者の体温を要望の温度範囲に適切に調整することの出来るものが無く、様々な不具合が生じていた。
【０００６】
例えば、交通事故等によって大量出血して体温が急激に低下した救急患者や、病院や診療所において容態が急変する可能性のある患者や、在宅の高齢者等の体温調整の必要な人の体温調整を適切に行って上述したような不具合を防止するためには、その時点時点での身体の状況（例えば体温や、血圧や、心拍数や、寝返り回数等の状況）を例えば心拍計や血圧計等を用いて正確かつ継続的にモニターし、そのモニターデータに基づいて例えば看護人が電気毛布等の温度調整をこまめに行わなければならない。しかしながら、身体の状況を正確かつ継続的にモニターして、看護人等が電気毛布等の温度調整をこまめに行うことは実質的には殆ど不可能である。また、従来には、横たわった状態での身体状況を継続的にモニターし当該モニターデータに基づいて電気毛布等の温度調整を自動的に行うフィードバック手段はなかった。
【０００７】
ところで、本出願人は次に示すような温度調整マットを提案している（未公開）。その温度調整マットは、密閉されたマット内に温度調整した空気を循環することによって、マット全体の温度調整を行ってマット上に横たわる身体に快適な温度環境を提供するものである。その具体的構成としては、マット本体を、人工皮革や織布等の外皮で密閉容器に構成し、その密閉容器内には、上から順に、空気流通性の高い立体的な繊維等からなる構造体と、空気の流通を制御するための通路壁と、マットの下部において空気循環路を有するマット材等とを配置して密閉容器内に空気循環通路を形成し、その空気循環通路に空気を循環させると共に、その循環空気の温度調整を行うことによって、マット全体を温度調整する構成となっている。しかしながら、この提案の温度調整マットは、主に健常者の睡眠を対象としてマット広域を均等に温度制御する構成を備えているものであり、体温調整感知・制御機能が十分でない高齢者や、出血や火傷に因り体温維持機能を失った者への局所的な加温・冷却を行う救急医療等での温度調整機能の要求を満足するものではなかった。
【０００８】
特許文献１には次に述べるようなベッド装置が示されている。つまり、特許文献１のベッド装置は、寝床内の入床者の体温、湿度、体動を検知するためのセンサーを有し、そのセンサーは、ベッド装置のマット上に別途置かれたパットの中に設けられている。また、ベッド装置には、送風手段によりマット上のパット又は寝床内に直接風を送るための構成や、その送風を加熱するための加温手段が設けられており、センサーにより検出された検出値に基づいて、加温手段を制御して寝床内温度及び湿度を適正な値にフィードバックしたり、また、マット下からパットを通過して加熱していない風を寝床に入れる構成となっている。この特許文献１には、ベッド本体の内部にダクトを設けて表面に多数の通風孔を設けることが開示されている。
【０００９】
しかしながら、特許文献１のベッド装置では、マット上のパット又は寝床内に直接風を送ろうとしても、その風の出口は、ベッド上の身体や布団によって塞がれてしまうので、うまく風が抜けない。このために、厚手の上掛けの布団を用いる冬季には特に実用性に低いという欠点がある。また、マットの上にパットを置くと、寝返り等の体動によってパット位置がずれて、所望の位置を精度よく加温することは困難であるという欠点もある。さらに、就寝中の身体に直接風が触れることになるため身体が過度に冷やされることとなり、特に高齢者等の健康には必ずしも良いとは限らない欠点が生ずる。
【００１０】
さらに、特許文献１には、寝床内温度を下げる手段としてペルチェ効果を用いた冷却装置を用いる構成が開示されている。しかしながら、夏場の高湿度の外気を冷却した場合には結露の問題が生じ、マット自体が濡れてカビが繁殖しやすい等の問題が生ずる欠点があった。さらに、特許文献１のベッド装置では、身体の加温は、マット上のヒーター（加温手段）で行う構成であるが、マット上に配置したパット内に体温検知手段、湿度検知手段を内蔵しているために加温中に体温を精度良く検知できないという問題や、マット内には中綿として多くの繊維体が詰まっていて一般的に熱容量が高く加温手段はそのマットを温めることになるために消費電力が多くなるという問題や、加温手段の熱を直接的に全身に与えるために身体がむれる、ひどい場合には低温やけどが生ずる問題というような様々な問題が発生する可能性がある。
【００１１】
本発明は上記課題を解決するために成されたものであり、その目的は、マット上の身体の部分的な箇所の温度を調整可能で、しかも、むれや低温火傷等の不具合が生ぜず、構造が簡単で使いやすい温度調整マットを提供することである。
【課題を解決するための手段】
【００１２】
上記目的を達成するために、本発明は次に示す構成をもって前記課題を解決するための手段としている。すなわち、この発明は、
マット上の身体の温度調整を行う機能を備えた温度調整マットであって、このマットの身体側の表面には、少なくとも１つの部分的な温度調整対象領域が予め定められ、その温度調整対象領域のマット内部領域内に空気を循環させるための空気循環通路がその一部を前記温度調整対象領域のマット表皮部位に沿わせる形態で形成され、当該空気循環通路の少なくとも一部は通気性の高い高通気性材料により構成されており、
その空気循環通路に空気を強制的に循環させるための空気循環手段と、空気循環通路を循環している空気の温度を調整して前記温度調整対象領域上の身体部位を温度調整する循環空気温度調整手段と、前記温度調整対象領域上の身体部位の体温を検出する体温検出手段と、この体温検出手段の検出値に基づいて前記温度調整対象領域上の身体部位の体温が予め設定された目標の温度となるように空気循環手段および循環空気温度調整手段の駆動制御を行う制御部とが設けられていることを特徴としている。
【発明の効果】
【００１３】
この発明によれば、マット表面には、少なくとも１つの部分的な温度調整対象領域が設定され、その温度調整対象領域のマット内部領域内に空気を循環させるための空気循環通路と、その空気循環通路に空気を強制的に循環させるための空気循環手段と、その循環空気の温度調整を行うための循環空気温度調整手段とが設けられ、温度調整された循環空気との熱交換によって前記温度調整対象領域上の身体部位の温度調整を行う構成とした。この構成では、温度調整対象領域はマット表面の部分的な領域であることから、マット上の身体の部分的な箇所の温度調整が可能である。また、例えばヒーターの熱を直接的にマット上の身体に与えるのではなく、この発明では、温度調整された循環空気を利用してマット上の身体の温度調整を行う構成であることから、マット上の身体のむれや低温火傷等の不具合を回避することができる。さらに、簡単な構造でもって本発明の温度調整マットを構成することができる。
【００１４】
また、この発明では、マット表面における温度調整対象領域上の身体部位の体温を検出する体温検出手段と、この体温検出手段の検出値に基づいて前記温度調整対象領域上の身体部位の体温が予め設定された目標の温度となるように空気循環手段および循環空気温度調整手段の駆動制御を行う制御部とが設けられている構成を備えている。このため、加齢により体温の調節がうまくできない者や、事故等において何らかの身体の異常をきたして体温の調節に支障をきたしている者や、健全な睡眠を望んでいる健常者等というような様々な人達の身体状況やニーズに応じて適宜に目標の温度を設定することによって、身体の特定の部分を要望に合うように、かつ、効率良く温度調整できる温度調整マットを提供できる。
【００１５】
また、身体状態検知手段が設けられ、この身体状態検知手段により検出される身体状態に応じてマット表面における温度調整対象領域上の身体部位の目標の温度を設定する構成を備えることによって、身体状態変化に応じて適正な目標の温度が設定されて、より適正な身体の温度調整を行うことが可能となる。
【００１６】
さらに、マットの外側の例えば外気温や湿度等の周囲環境情報を検出する外部検出手段が設けられ、この外部検出手段により検出される周囲環境情報を利用してマット表面における温度調整対象領域上の身体部位の目標の温度を設定する構成を備えることによって、気候の状況変化に応じて適切な目標の温度が設定されることとなり、より適切な身体の温度調整を行うことが可能となる。さらに、身体状態検知手段と外部検出手段を両方共に設けて、身体状態検知手段により検出される身体状態および外部検出手段により検出される周囲環境情報に基づいてマット表面における温度調整対象領域上の身体部位の目標の温度を設定する構成を備えることによって、気候の状況と個別に異なる身体の状況に応じて目標の温度が設定されることとなり、より一層適正な身体の温度調整を行うことが可能となる。
【００１７】
マット内の空気の一部を放出するための放出口が設けられると共に、その放出された空気量を補完するために外部の空気をマット内に取り込む空気取り込み口が設けられている構成を備えることによって、マット内の空気の一部を交換することができる。また、秋口等、気候が温暖で外気の状況がとりたてて、加熱・冷却を行う必要がないとき等に、外気を利用してマット内の温度調整を行うことが可能であり、循環空気温度調整手段の消費電力を抑制することができ、省電力化を図ることができる。さらに、空気取り込み口に、マット内に取り込む外気の湿度を適宜に除去する手段を設けることによって、マット内の湿度を高めることなく、マット内に外気を取り込むことができる。
【００１８】
さらに、循環空気温度調整手段を内蔵した循環空気温度調整ユニットがマット外部に外付けられている構成を備えることによって、循環空気温度調整手段の修理や保守点検や交換等が容易となる。
【００１９】
さらに、マットの身体側の表面には複数の温度調整対象領域が予め定められ、各温度調整対象領域毎に、それぞれ、空気循環通路と、空気循環手段と、循環空気温度調整手段とが設けられており、制御部は、各温度調整対象領域毎に、空気循環手段および循環空気温度調整手段の駆動制御を行う構成を備えることによって、各温度調整対象領域上の身体部位をそれぞれ別々に温度調整することができる。
【００２０】
体温検出手段がマット上の身体部位に装着可能な部材に設けられている構成を備えることによって、温度調整対象領域上の身体部位の体温をより正確に検出することが可能となる。
【００２１】
さらに、空気循環による温度調整対象領域以外の非空気循環領域のマット表面部位上の身体部分に熱と光と振動の何れかのエネルギーを与える患部治療手段が設けられている構成を備えることによって、次に示すような効果を得ることができる。患部治療手段を目的に応じたマット内部部分に取り付けて、例えば肩や足等の局所的な身体部位（患部）に患部治療手段からのエネルギーを適宜に与えて患部の症状を緩和することができる。また、制御部が、予め与えられた制御用プログラムに基づいて患部治療手段の駆動制御を行う構成を備えることによって、次に示すような効果を得ることができる。例えば、身体状態検知手段である発汗量センサーが設けられている場合に、その発汗量センサーにより検出される発汗量に基づき患部治療手段からの目標のエネルギー出力量を設定するためのデータを予め与えておき、制御部は、予め与えられた制御用プログラムに従って、発汗量センサーにより検出される発汗量の情報と、上記データとに基づいて、患部治療手段からの目標のエネルギー出力量を設定し、患部治療手段から出力されるエネルギー量が設定の目標のエネルギー出力量となるように患部治療手段の駆動制御を行う構成を備えることとする。このように構成することによって、身体状態変化に応じて非空気循環領域のマット表面部位上の身体部分に適正なエネルギーを自動的に与えて患部の症状を緩和することが可能となる。
【００２２】
空気循環手段と循環空気温度調整手段と患部治療手段とのうちの少なくとも一つの手動操作手段が設けられ、手動操作手段が手動操作されたときには、制御部は自動制御を停止して手動操作を優先させる構成を備えることによって、個人個人で異なる要望に応じて循環空気温度調整手段による身体の温度調整具合や、患部治療手段による出力エネルギー供給状態を手動操作によって調整することができることとなる。
【発明を実施するための最良の形態】
【００２３】
以下に、本発明に係る実施形態例を図面に基づいて説明する。なお、以下に述べる実施形態例の説明に使用する図面中の構成要素は必ずしも寸法通りではない。
【００２４】
図１は第１実施形態例の温度調整マットの概略外観を示した斜視図である。この温度調整マット１は、身体６５の体温等を感知してマット表面の温度を調整し身体６５の温度調整を行う機能を備えているものである。
【００２５】
図１に示すように、身体６５を横たえる温度調整マット１の表面には、温度調整対象領域である第１の温度調整部２および第２の温度調整部３がそれぞれ設定されている。この第１実施形態例では、第１の温度調整部２は身体６５のほぼ背中に当たるマット表面領域に設定されており、例えば、夏季には身体６５の背中の冷却を、また、冬季には身体６５の背中の加熱を行う領域である。また、第２の温度調整部３は身体６５の腰部から脚部に当たる領域に設定されており、冷却はせず、身体６５の腰部から脚部の加熱を行う領域である。
【００２６】
この第１実施形態例では、温度調整マット１の側面には、温度調整マット１に内蔵されている後述する循環空気温度調整手段である熱交換手段や、送風ファン等の空気循環手段を制御するための制御ユニット４が設けられている。
【００２７】
図２は図１に示されている温度調整マット１のＡ―Ａ部分の断面構成例を模式的に表した断面図であり、また、図３Ａは図１の温度調整マット１の模式的な分解図である。図２に示すように、この第１実施形態例の温度調整マット１は、高通気性材料から成る上部空気流通手段５と、ウレタンフォーム等からなる下部空気流通手段６と、上部空気流通手段５と下部空気流通手段６に挟まれているアルミ板や織布等からなる流通路制御手段７と、上部空気流通手段５と下部空気流通手段６と流通路制御手段７の積層構造体を包み込む人工皮革や織布等から成る上部表皮１１および下部表皮１２と、循環空気温度調整手段である第１の熱交換手段８と、循環空気温度調整手段である第２の熱交換手段９と、第１の空気循環手段１０と、第１の温度センサー１４と、第２の温度センサー１５と、第２の空気循環手段１６とを有して構成されている。以下に、温度調整マット１を構成する上記各構成部分の詳細を説明する。
【００２８】
温度調整マット１の表皮である上部表皮１１および下部表皮１２は、それぞれ、透湿・透気性が少なく、厚さが例えば０．５〜２mm程度の例えばポリエステルやアクリル繊維やフッ素系繊維から成る織物により構成され、良好なクッション性を持ちながらも、マット内部の空気と外気をほぼ遮断可能なものであり、当該上部表皮１１と下部表皮１２は、マットの柔軟性を損なわない程度に縫製により合わせられて袋状と成している。上部表皮１１および下部表皮１２がマット内部の空気と外気をほぼ遮断するものであることによって、外気に含まれる湿気がマット内に侵入してマット内の冷気により温度調整マット１の内部に結露が発生することを防止できるし、また、過剰な湿気による雑菌の繁殖を避けることができる。
【００２９】
なお、上部表皮１１および下部表皮１２によって、温度調整マット１の内部はほぼ気密に構成されているが、上部表皮１１および下部表皮１２の材料は基本的に繊維体であり、温度調整マット１への身体６５による体圧印加時等のマット変形によって、マット内部の空気の一部が上部表皮１１や下部表皮１２を通って排出され、また、身体６５の離床時には外気が上部表皮１１や下部表皮１２を通ってマット内に流入する。上記マット内への外気流入の際に、上部表皮１１や下部表皮１２を通して幾分、湿気が侵入するため、この外気の湿度を除去するために、この第１実施形態例の温度調整マット１には、シリカゲルやゼオライト等の乾燥剤が内蔵されたり、電子乾燥器等から成る調湿通気手段５４がマット周縁部に設置されている。
【００３０】
上部空気流通手段５は、温度調整マット１の上面に沿うように延設された平たい構造体であり、良好な通風性と低熱容量、かつ、クッション性の良い高通気性材料により構成されている。この上部空気流通手段５の一形態例が図４のモデル図に示されている。この図４に示される上部空気流通手段５は、厚さが例えば１０〜３０mm程度の立体的な繊維構造体であり、表裏２枚の地組織である面状織物部（格子状繊維）１９と、上下の面状織物部１９を連結する繊維から成る連結手段２０とを有して構成されている。
【００３１】
面状織物部１９は上下方向（図４のｂ方向）の通気性が良く単位面積当たりの空隙（開口）率が例えば７０〜８０％程度と高い織物であり、マルチフィラメントから成るポリエチレンテレフタレートやポリブチレンテレフタレート等のポリエステル繊維や、ナイロン６、ナイロン６６等のポリアミド繊維から構成される。この面状織物部１９は通気性が良いために、当該面状織物部１９を通して上下方向（図４のｂ方向）に空気を流通させることが容易にできる。
【００３２】
連結手段２０は、面状織物部１９と一体的に織られ、熱処理によって立体化されるものである。この連結手段２０は、面状織物部１９の面に直交する断面における空孔率が例えば８０〜９５％程度と高く、面内方向（図４中のａ方向）に空気が流れ易くなっているものである。連結手段２０は、温度調整マット１の上に横たわる身体６５を、上部表皮１１を介して適度の圧縮変形により受け止めるために、繰り返し圧縮歪が生じても回復する強靭な糸材により構成されている。その糸材の具体例としては、例えば、太さが約６００〜８００デニールのポリエチレンテレフタレートや、ポリブチレンテレフタレート等から成る剛直なモノフィラメント繊維体を多少湾曲させて多数本配置したものや、Ｘ字状となるようにモノフィラメント繊維体を多数本配置したもの等を挙げることができる。
【００３３】
上記したような図４の上部空気流通手段５は細い繊維の集合体であり、空孔率の高いものであることから、上部空気流通手段５の単位体積当たりの重量はその単位体積を固体で満たした場合の約数百分の１であり、これにより、上部空気流通手段５の熱容量は極めて低く、また、上下方向（ｂ方向）の熱伝導率も低いものとなっている。このために、温度調整マット１の上に横臥する身体６５の熱が上部空気流通手段５に籠もることを回避できる。
【００３４】
流通路制御手段７はアルミ板や織布等により構成されており、当該流通路制御手段７には、例えば図３Ａに示されるような上下方向に貫通した複数の貫通孔１７（１７ａ〜１７ｄ）が形成されている。それら複数の貫通孔１７のうちの一つ１７ａは、第１の温度調整部２の端縁部の一部に対応する部位に形成され、その第１の温度調整部２の端縁部分の反対側の端縁部分に対応させて別の貫通孔１７ｂが形成されている。また、さらに別の貫通孔１７ｃは、第２の温度調整部３の端縁部の一部に対応する部位に形成され、その第２の温度調整部３の端縁部分の反対側の端縁部分に対応させて別の貫通孔１７ｄが形成されている。
【００３５】
下部空気流通手段６は例えばウレタンフォーム等から成る平板状の部材により構成されている。図３Ｂには下部空気流通手段６を上方側から見た模式的な平面図が示されている。この図３Ｂや、図２に示されるように、下部空気流通手段６の上面（上部空気流通手段５側の面）には、凹部１８−１，１８−２，２１が形成されている。凹部２１は第１の熱交換手段８を設置するための凹部であり、流通路制御手段７の貫通孔１７ａの形成位置に対応させて設けられている。凹部１８−１は、流通路制御手段７の貫通孔１７ｂの形成位置に対応する部分から凹部２１に連通する領域にかけて形成された凹部であり、後述するような空気循環通路を形成するための凹部である。凹部１８−２は、流通路制御手段７の貫通孔１７ｃの形成位置に対応する部分から流通路制御手段７の貫通孔１７ｄの形成位置に対応する部分に渡って形成された凹部であり、後述するような空気循環通路を形成するための凹部である。
【００３６】
第１の空気循環手段１０はクロスフローファン等の送風ファンにより構成されており、この第１実施形態例では、図２に示されるように、流通路制御手段７の貫通孔１７ａの形成領域に配設されている。また、第２の空気循環手段１６も第１の空気循環手段１０と同様にクロスフローファン等の送風ファンにより構成されている。この第１実施形態例では、第２の空気循環手段１６は、流通路制御手段７の貫通孔１７ｃの形成領域に配設されている。
【００３７】
この第１実施形態例では、第１の空気循環手段１０が駆動することによって、例えば、上部空気流通手段５の内部の空気が第１の空気循環手段１０により吸引される。その吸引された空気は第１の空気循環手段１０から下部空気流通手段６の凹部１８−１に向けて吐出され凹部１８−１および流通路制御手段７から成る通路を通り、さらに、流通路制御手段７の貫通孔１７ｂを通って上部空気流通手段５に戻る。その戻りの空気は第１の温度調整部２に対応する上部空気流通手段５の部位を通って再び第１の空気循環手段１０により吸引される。このように、第１の空気循環手段１０の駆動によって第１の温度調整部２に対応するマット内部領域内に、図２の矢印Ａに示されるような空気の循環が生じる。その循環空気は、上部空気流通手段５を通過しているときに、上部表皮１１を介して第１の温度調整部２に接している身体６５の部位（例えば背中）と熱交換する。
【００３８】
すなわち、上部空気流通手段５と、流通路制御手段７の貫通孔１７ａ，１７ｂと、下部流通手段６の凹部１８−１とによって、第１の温度調整部２に対応するマット内部領域内に空気を循環させるための第１の空気循環通路が構成されている。また、第１の空気循環手段１０は、その第１の空気循環通路に空気を強制的に循環させるための空気循環手段と成している。
【００３９】
また、第２の空気循環手段１６を駆動させることによって、例えば、下部空気流通手段６の凹部１８−２および流通路制御手段７から成る空気循環通路内の空気が第２の空気循環手段１６により吸引される。その吸引された空気は第２の温度調整部３に対応する上部空気流通手段５の領域に向けて吐出され当該第２の温度調整部３に対応する上部空気流通手段５の領域を通り、流通路制御手段７の貫通孔１７ｄを通って下部空気流通手段６の凹部１８−２に戻る。この戻りの空気は、凹部１８−２を通って再び第２の空気循環手段１６により吸引される。このように、第２の空気循環手段１６の駆動によって第２の温度調整部３に対応するマット内部領域内に、図２の矢印Ｂに示されるような空気の循環が生じる。その循環空気は、上部空気流通手段５を通過しているときに、上部表皮１１を介して第２の温度調整部３に接している身体６５の部位（例えば腰部から脚部にかけての身体部位）と熱交換する。
【００４０】
すなわち、上部空気流通手段５と、流通路制御手段７の貫通孔１７ｃ，１７ｄと、下部流通手段６の凹部１８−２とによって、第２の温度調整部３に対応するマット内部領域内に空気を循環させるための第２の空気循環路が構成されている。また、第２の空気循環手段１６は、その第２の空気循環通路に空気を強制的に循環させるための空気循環手段と成している。
【００４１】
この第１実施形態例では、上部空気流通手段５は通気性の良いものであることから、例えば、上部空気流通手段５の厚みが３０mmである場合には、第１や第２の空気循環手段１０，１６の駆動による循環空気の上部空気流通手段５における風速は例えば０．５〜２（ｍ／sec）で、また、風量は例えば０．１〜０．５（ｍ3／sec）というような大風速・大風量の空気の循環を得ることができる。また、図４に示される上部空気流通手段５は、立体構造の連結手段２０を有しているために、流通路制御手段７の貫通孔１７から上部空気流通手段５に流れ込んだ空気は、上部空気流通手段５の連結手段２０にぶつかり乱流となり上部表皮１１に衝突するため、身体６５との熱交換が効率的にでき、例えば５分間程度の間に快適な身体６５の温度調整を得ることができる。
【００４２】
第１の熱交換手段８は、第１の空気循環通路Ａを循環する空気の温度調整を行うためのものであり、この第１実施形態例では、下部空気流通手段６の凹部２１に取り付けられている。図５Ａには第１の熱交換手段８の一構成例が模式的な斜視図により示されている。この図５Ａの第１の熱交換手段８は、次に述べるようなペルチェモジュール２２と、このペルチェモジュール２２に接続されたアルミ等から成る温度調整フィン２３とを有して構成されている。
【００４３】
ペルチェモジュール２２は、ペルチェ効果を利用して、そのモジュールの一方の面から、対向する他方の面に熱を輸送するための一種のヒートポンプであり、小型の冷蔵庫や電子部品の温度制御装置として多く使用されている。ペルチェモジュールは、主な構成要素として、ｎ型の半導体素子とｐ型の半導体素子を交互に並べて構成されるマトリックス配列体と、そのマトリックス配列体を上下方向から挟み込むように配設されるアルミナ等のセラミックス基板と、これら上下の各セラミックス基板にそれぞれ設けられｎ型の半導体素子とｐ型の半導体素子を電気的に接続する上部電極群と下部電極群とを有して構成されている。ペルチェモジュールとして必要なｎ型の半導体素子とｐ型の半導体素子の対数は、必要な温度調整能力（吸熱量、温度差）にもよるが、通常１００〜３００対であり、それら多数のｎ型の半導体素子とｐ型の半導体素子は、上部電極群と下部電極群によって、交互に直列に電気的に接続されている。当該ｎ型の半導体素子とｐ型の半導体素子の直列接続体に直流電流を通電させると、ペルチェモジュール２２の一方の面が冷却面（吸熱面）と成し、対向する他方の面が加熱面（排熱面）となる。また、ｎ型の半導体素子とｐ型の半導体素子の直列接続体に通電させる直流電流の流れを反転させると、ペルチェモジュール２２の一方の面が冷却面（吸熱面）から加熱面（排熱面）に変わり、対向する他方の面が加熱面（排熱面）から冷却面（吸熱面）に変わる。このため、ペルチェモジュール２２には、当該ペルチェモジュール２２だけで冷却と加熱の両方を行うことができるというメリットがある。
【００４４】
温度調整フィン２３は、ペルチェモジュール２２の一方の面に取り付けられており、ペルチェモジュール２２の駆動によって冷却されたり、加熱される。この第１実施形態例では、第１の空気循環手段１０から吐出された循環空気が温度調整フィン２３を通過するように、温度調整フィン２３と、第１の空気循環手段１０との位置関係が設定されている。このため、第１の空気循環手段１０から吐出された循環空気は、温度調整フィン２３を通って熱交換され冷却されたり、加熱される。
【００４５】
ところで、第１の熱交換手段８がペルチェモジュール２２を有して構成される場合には、ペルチェモジュール２２が循環空気の冷却動作を行うときに生ずる排熱を温度調整マット１の外部に排出することが好ましい。このため、図５Ａに示されるように、ペルチェモジュール２２は熱伝達手段２５に取り付けられている。この熱伝達手段２５の一部は温度調整マット１の外部に突出形成されており、この突出している熱伝達手段２５の部位は、温度調整マット１の側面に配設されている排熱手段２４と接合されている。
【００４６】
熱伝達手段２５は、ペルチェモジュール２２の排熱を排熱手段２４に効率良く伝達することができる構成を有するものであり、そのような構成には例えばヒートパイプやヒートパイプパネル等の様々な構成があり、ここでは、それら構成のうちの何れの構成をも採用してもよいものであるが、図５Ｂには熱伝達手段２５の一構成例が模式的な断面図により示されている。この図５Ｂの熱伝達手段２５はヒートパイプパネル６８により構成されている。このヒートパイプパネル６８は、例えば約２mmの厚みと約３０mmの幅を持つアルミから成る外郭部６６に多数の貫通孔６７が形成され、各貫通孔６７にそれぞれ作動液（例えば水や代替フロンなど）が収容されている構成を有している。
【００４７】
排熱手段２４は、例えば、熱伝達手段２５にはんだ等により熱的に接合される複数枚のアルミニウム板や銅板により構成される排熱フィン２７と、この排熱フィン２７に通風を供給するための例えば軸流ファン等から成る排熱ファン２６と、この排熱ファン２６による通風を効率良く排熱フィン２７に導くためのプラスチックやアルミニウム等により形成されるカバー（外囲器）２８とを有して構成されている。
【００４８】
上記のような熱伝達手段２５と排熱手段２４を設けることによって、ペルチェモジュール２２の排熱は熱伝達手段２５を通って排熱手段２４に伝達され排熱手段２４により外気と熱交換される。つまり、ペルチェモジュール２２の排熱を温度調整マット１の外部に排出することができる。
【００４９】
第２の熱交換手段９は、第２の空気循環通路Ｂを循環する空気の温度調整を行うためのものであり、この第１実施形態例では、流通路制御手段７の貫通孔１７ｄの形成領域に配設されている。この第１実施形態例では、第２の熱交換手段９は、循環空気の加熱を行う例えばヒーターや、前述したようなペルチェモジュール等により構成されている。
【００５０】
この第１実施形態例では、第１の空気循環通路Ａには、上記したような第１の熱交換手段８が配設されている。このため、第１の空気循環通路Ａを循環している空気は第１の熱交換手段８によって温度調整され、この温度調整された空気が第１の温度調整部２に対応する上部空気流通手段５の部位を通るので、当該温度調整された循環空気と、第１の温度調整部２に接している身体６５の部位（例えば背中）との上部表皮１１を介した熱交換により、その身体６５の背中等の部位を冷却したり、加熱することができる。また、第２の空気循環通路Ｂには第２の熱交換手段９が配設されている。このため、第２の空気循環通路Ｂを循環している空気は第２の熱交換手段９によって温度調整され、この温度調整された空気が第２の温度調整部３に対応する上部空気流通手段５の部位を通るので、当該温度調整された循環空気と、第２の温度調整部３に接している身体６５の部位（例えば腰部から脚部にかけての部位）との上部表皮１１を介した熱交換により、その身体６５の部位を加熱することができる。
【００５１】
第１の温度センサー１４は、第１の温度調整部２のマット表面温度を第１の温度調整部２に接している身体６５の部分の体温として検知するものであり、第２の温度センサー１５は、第２の温度調整部３のマット表面温度を第２の温度調整部３に接している身体６５の部分の体温として検知するものである。第１と第２の各温度センサー１４，１５は、それぞれ、例えば、複数本の細径の熱電対等の温度センサーや、身体から放射される赤外線を受光し当該受光した赤外線の波長に基づいて温度を検出するフォトダイオード等により構成されている。この第１実施形態例では、第１の温度調整部２における図３Ａに示されるような位置３０−１，３０−２，３０−３の３箇所に、それぞれ、第１の温度センサー１４が配設されている。また、第２の温度調整部３における図３Ａに示されるような位置３１−１，３１−１，３１−３の３箇所に、それぞれ、第２の温度センサー１５が配設されている。
【００５２】
制御ユニット４は、図８のブロック構成図に示される制御部３２と、体温データ処理部３３，３４と、メモリー３８とを有して構成されている。体温データ処理部３３は、第１の温度調整部２に設けられている３個の第１の温度センサー１４（３０−１，３０−２，３０−３）にそれぞれ電気的に接続されており、それら各第１の温度センサー１４により検出された身体６５の体温データを時々刻々と取り込み、取り込んだ体温データを処理するものである。この第１実施形態例では、体温データ処理部３３は、３箇所の第１の温度センサー１４の検出温度を比較し、それら検出温度のうちの最高温度を第１の温度調整部２における身体６５の体温と見なして制御部３２に出力する構成を有する。例えば、図７Ａには、第１の温度調整部２に設けた３個の第１の温度センサー１４（３０−１，３０−２，３０−３）からそれぞれ出力された検出温度のデータが示されている。この図７Ａに示されるような検出温度データが得られた場合には、最も高い検出温度は第１の温度センサー１４（３０−３）の検出温度（３２℃）であることから、第１の温度調整部２における身体６５の体温は３２℃であると検出される。このように、３箇所の第１の温度センサー１４の検出温度のうちの最高温度を身体６５の体温と見なすのは、身体６５は、寝返り等の体動により温度調整マット１上で移動するので、全ての第１の温度センサー１４が身体６５の体温を検出している訳ではないことから、身体６５からの熱を最も精度良く感知していると考えられる最も高い検出温度を身体６５の体温としている。
【００５３】
体温データ処理部３４は、第２の温度調整部３に設けられている３個の第２の温度センサー１５（３１−１，３１−２，３１−３）にそれぞれ電気的に接続されており、それら各第２の温度センサー１５により検出された身体６５の体温データを時々刻々と取り込み、取り込んだ体温データを処理するものである。この第１実施形態例では、体温データ処理部３４は、体温データ処理部３３と同様に、３箇所の第２の温度センサー１５の検出温度を比較し、それら検出温度のうちの最高温度を第２の温度調整部３における身体６５の体温と見なして制御部３２に出力する。
【００５４】
メモリー３８には、図７Ｂの実線Ａに示されるような時間と目標温度（目標体温）との関係データが目標温度データとして予め定められ格納されている。制御部３２は、例えばマイクロコンピューター（ＣＰＵ）により構成されており、当該制御部３２は、メモリー３８に格納されているデータやプログラムや、体温データ処理部３３，３４から出力される体温の情報等に基づいて、第１や第２の各熱交換手段８，９や、第１や第２の空気循環手段１０，１６等の駆動制御を行う。例えば、制御部３２は時間計測手段を有し、この時間計測手段により得られる時間情報に応じた目標温度をメモリー３８の目標温度データに基づいて時々刻々と設定し、この設定された目標の温度と、体温データ処理部３３，３４から加えられた体温のデータとを比較する。そして、制御部３２は、その比較により得られた検出体温と目標温度との差分に基づいて、当該差分を小さくする方向に、電源部３５を制御して第１や第２の各熱交換手段８，９の駆動制御や、第１や第２の空気循環手段１０，１６の駆動制御を行う。
【００５５】
ところで、図７Ｂに示される目標温度データＡは、健常者が寝付かれないとき等に、睡眠に入りやすくするために用いるデータである。つまり、一般に人間の体は夜になると体温のセットポイントが昼間より下がり、また寝入る前には、身体の温度を０．５〜１℃下げることで代謝量を下げるメカニズムが働く。そのために、寝入る前の子供の手足が暖かくなる現象に見られるように、皮膚表面の血管を拡張し、皮膚表面からの放熱を高めようとする。したがって、睡眠に入る時間を短くするには、身体の放熱にあわせて温度調整マット１の温度を下げ、身体からの放熱をしやすくすることが必要であるが、マットの温度が初め低くなっている場合には、その冷刺激が脳に伝わり末梢神経も収縮し、体温の放出を抑えることになるため、温度調整マットの表面温度は一旦、加温し、体表面の皮膚温度が高まりかけるときに、この産熱を奪うことで寝つきをよくすることが出来る。また、睡眠した後も、その温度を適切に制御する、例えば、最初に冷却した後、徐々に時間をかけて室温と同じ温度にするＶ字睡眠等のパターンをとることが出来る。上記のようなことを考慮して、図７Ｂに示される目標温度データＡは設定されている。つまり、始動期（待機期）においてはマット表面温度を、就寝者に冷刺激を与えない温度に調整（加熱）して身体６５が横たわることに待機するように目標温度データＡが設定されている。そして、身体６５が温度調整マット１上に横たわると、１０〜３０分程度の時間の間は適宜な一定温度の加温を行い（図中加温期）、身体６５の皮膚温度が上がりかけたときに身体６５の体内温度および皮膚温度が下がって睡眠に入ることができるように、目標温度データＡは設定されている。
【００５６】
なお、この例では、目標温度データＡは、健常者等を快適な睡眠に導入させるためのデータであったが、例えば、温度調整マット１を救急処置用のマットして使用する場合には、例えば、メモリー３８には、低体温者の救急処置用の目標温度データが与えられ、制御部３２は、その救急処置用の目標温度データと、体温データ処理部３３，３４により検出される体温とに基づいて、第１や第２の各熱交換手段８，９や、第１や第２の空気循環手段１０，１６の駆動制御を行う構成としてもよい。このように、目標温度データは、図７Ｂに示されるデータに限定されるものではない。また、もちろん、第１の温度調整部２のための目標温度データと、第２の温度調整部３のための目標温度データとを別々に設定しておいて、制御部３２は、第１の温度調整部２のための第１の熱交換手段８および第１の空気循環手段１０の駆動制御と、第２の温度調整部３のための第２の熱交換手段９および第２の空気循環手段１６の駆動制御とを互いに独立的に行ってもよい。さらに、複数の目標温度データを予めメモリー３８に格納しておき、温度調整マット１の使用者等が、例えば、制御ユニット４に接続されているキーボードやタッチパネル等の外部情報入力手段（図示せず）を利用し、メモリー３８内の複数の目標温度データの中ならニーズにあったものを選択できる構成を備え、制御部３２は、その選択された目標温度データに基づいて第１や第２の各熱交換手段８，９や、第１や第２の空気循環手段１０，１６の駆動制御を行う構成としてもよい。さらに、制御部３２は、温度調整マット１の使用者等が外部情報入力手段を使用して外部入力した目標温度のデータを利用して、第１や第２の各熱交換手段８，９や、第１や第２の空気循環手段１０，１６の駆動制御を行う構成を備えていてもよい。
【００５７】
さらに、温度調整マット１の外側に外部検知手段である外気温センサー３６を配設しておき、メモリー３８には、その外気温センサー３６により検出される外気温（周囲環境情報）に基づいて目標温度データを補正（設定）するための補正用データを予め格納しておいてもよい。この場合には、制御部３２は、外気温センサー３６により検出される外気温の情報と、メモリー３８の補正用データとに基づいて目標温度データを補正（設定）し、この補正後（設定後）の目標温度データに基づいて目標温度を設定して、第１や第２の各熱交換手段８，９や、第１や第２の空気循環手段１０，１６の駆動制御を行う構成としてもよい。
【００５８】
制御部３２が上記のような様々な構成を適宜に持つことにより、気候等の周囲環境の変化や、温度調整マット１の使用目的等に応じて温度調整マット１上の身体６５の特定部位を一定の温度に、あるいは、時間の経過に従って設定の温度パターンに基づいた温度に温度調整することができる。
【００５９】
さらに、第１の熱交換手段８を手動操作するための循環空気温度調整手段用手動操作手段と、第２の熱交換手段９を手動操作するための循環空気温度調整手段用手動操作手段と、第１の空気循環手段１０を手動操作するための空気循環手段用手動操作手段と、第２の空気循環手段１６を手動操作するための空気循環手段用手動操作手段とのうちの少なくとも一つを温度調整マット１に設けてもよい。この場合には、制御部３２は、上記手動操作手段が手動操作されたときには、その手動操作された第１の熱交換手段８あるいは第２の熱交換手段９あるいは第１の空気循環手段１０あるいは第２の空気循環手段１６の自動制御を停止して、手動操作を優先させる。このような構成を備えることによって、例えば、医師の監視下において温度調整マット１を治療目的で使用する場合には、医師が、体温データ等を基に医学的見地から、第１や第２の各熱交換手段８，９や、第１や第２の空気循環手段１０，１６を手動操作して温度調整マット１上の身体６５の温度調整を行うことができることとなる。
【００６０】
さらに、制御部３２は、無線あるいは有線の通信手段３９に接続されて、体温データ処理部３３，３４を介して得られた体温情報や、メモリー３８に格納されているデータ等を予め指定された情報送付相手（例えば、温度調整マット１が介護施設や病院に設けられている場合にはその施設の集中データ処理装置や、救急車に設けられている場合には患者の搬送先の病院など）に向けて通信する構成を備えていてもよい。
【００６１】
さらに、制御部３２はモニター装置３７に接続され、モニター装置３７を制御して、体温データ処理部３３，３４を介して得られた体温情報等を画面表示させる構成を備えていてもよい。
【００６２】
なお、この第１実施形態例では、第１の熱交換手段８を構成しているペルチェモジュール２２は、循環空気の加熱と冷却を行う例を示したが、例えば、ペルチェモジュール２２は冷却専用として、第１の熱交換手段８には、ペルチェモジュール２２とは別の加熱手段を設ける構成としてもよい。つまり、一般的に、ペルチェモジュールを加熱のために使用した場合には、ペルチェモジュールが高温劣化しやすいことや、ペルチェモジュールを加熱モードで使用した場合には排熱フィン２７を温める必要が生じ排熱フィン２７を暖めるためのヒーターを排熱フィン２７に設けなければならない等の部品点数の増加や構造の複雑化を招くことから、実質的にペルチェモジュールによる循環空気の加熱は好ましくない。このことを考慮して、ペルチェモジュール２２は循環空気の冷却専用のものとし、循環空気を加熱するための手段を別途設けてもよい。例えば、図６に示すように温度調整フィン２３の上面に循環空気の加熱手段として面状ヒーター２９を設けてもよい。その面状ヒーター２９は、例えば、０．２〜０．５mm程度の厚さのシリコン樹脂やポリイミド等から成る絶縁シートに発熱体を埋め込んで構成されるものである。また、面状ヒーター２９を設ける場合には、面状ヒーター２９の熱が外部に放熱されず効率良く温度調整フィン２３側に供給されるように、図６に示すように、面状ヒーター２９上にポリウレタンフォーム等の断熱材３０を設けることが好ましい。
【００６３】
また、この第１実施形態例では、熱交換手段８はペルチェモジュール２２を有して構成されていたが、熱交換手段８は、ペルチェモジュール２２に代えて、ヒーター等の加熱手段および冷却手段を設ける構成としてもよい。
【００６４】
以下に、第２実施形態例を説明する。なお、この第２実施形態例の説明において、第１実施形態例と同一構成部分には同一符号を付し、その共通部分の重複説明は省略する。
【００６５】
この第２実施形態例では、マット表面の第２の温度調整部３上に位置する身体部位の体温を検出する第２の温度センサー１５をマット表面部分に設けるのに代えて、第２の温度センサー１５は、図９Ａに示されるように、身体６５に装着可能な部材に設けられている。この構成以外の第２実施形態例の構成は第１実施形態例と同様である。
【００６６】
この第２実施形態例に示した温度調整マット１は、例えば、救急用ストレッチャーや、救急ベッドや、外気環境の急変動に応じた体温調整機能が不完全である高齢者の救命用として用いる場合に好適である。例えば、交通事故等において出血を伴う負傷をした場合には体温が急激に低下し、一般的には、その体温が２５℃以下になった場合には死亡につながることが多い。また、一部の高齢者における皮膚の温冷器官の機能不全により、本人が気付かないうちに低体温となり死亡することが往々にして見られる。このような場合に対処することを可能にする場合には、例えば、次に示すような時間と目標温度との関係データを目標温度データとしてメモリー３８に予め格納しておく。例えば、その目標温度データにおいては、低体温患者（例えば、皮膚温度を正常な３２〜３３℃に維持できなくなった患者）６５が温度調整マット１に横たえられた当初には緊急に加温が必要であることから、目標温度は例えば３６℃に設定される。ただし、温度調整マット１の表面温度をあまり長時間高温に保つと、患者６５の皮膚の傷等への悪影響が生ずるので、加温を開始して患者６５の体温が徐々に上昇し始めてから予め定められた時間が経過した時点で目標温度は例えば３２℃まで低下させて設定される。
【００６７】
このようなメモリー３８内の目標温度データを利用した制御部３２による第１や第２の空気循環手段１０，１６および第１や第２の熱交換手段８，９の駆動制御によって、温度調整マット１に横たえられた低体温患者６５の体温を適切な体温に上昇させることが可能である。
【００６８】
例えば、事故により脚部から大量に出血して低体温となった患者が第２実施形態例の温度調整マット１に横たえられて温度調整されたときの患者６５の第２の温度センサー１５により検出される身体表面温度と、温度調整マット１の表面温度との時間的変化の一例が図９Ｂのグラフに示されている。この図９Ｂの例では、患者は、例えば２６．５℃というような低体温で危険な状態であったが、温度調整マット１の加熱によって、体温を徐々に適正に上昇させることができている。なお、図９Ｂの例では、高温保持期から適合期に移行する時点で目標温度が例えば３６℃から３２℃に低下設定されている。
【００６９】
なお、この第２実施形態例では、低体温の患者６５の体温を上昇させるための目標温度データの例を示したが、もちろん、この第２実施形態例の温度調整マット１においても、目標温度データは、低体温患者のためのものに限定されるものでなく、例えば、火傷の患者に対応するために患者を急冷するための目標温度データを与えておいてもよいし、高血圧症等の患者に対応するために血管を拡張して血圧を下げるような体温となるように目標温度データを設定してもよい。さらに、もちろん、温度調整マット１に横たえられた患者６５の体温を上昇させなければならない場合には電気毛布等を併用してもよく、この場合にも当然に適切に患者の体温を適切に上昇させることが可能である。また、温度調整マット１上の患者６５の体温を冷やさなければならない場合には保冷材等を併用してもよく、この場合にも患者の体温を適切に冷やすことが可能である。
【００７０】
以下に、第３実施形態例を説明する。なお、この第３実施形態例の説明において、第１や第２の各実施形態例と同一構成部分には同一符号を付し、その共通部分の重複説明は省略する。
【００７１】
この第３実施形態例では、温度調整マット１の身体側の表面には、図１０に示されるような第１の温度調整部２と第２の温度調整部３がそれぞれ温度調整対象領域として設定されており、この第３実施形態例では、第２の温度調整部３のマット内部領域は、空気循環を利用して温度調整される空気循環領域であり、第１の温度調整部２のマット内部領域は非空気循環領域となっている。なお、この第３実施形態例では、第１と第２の各温度調整部２，３は、第１と第２の各実施形態例に示した温度調整部２，３に比べて、狭くなっており、第３実施形態例の温度調整マット１は、第１や第２の温度調整部２，３上の身体部位の温度調整に要する消費電力が少ないものとなっている。
【００７２】
この第３実施形態例の温度調整マット１は、図１１の模式的な断面図に示されるように、ユニット受容部４０と、このユニット受容部４０の上側に積層配置される上部空気流通手段５と、ユニット受容部４０と上部空気流通手段５の積層体を覆う表皮である上部表皮１１および下部表皮１２とを有して構成されている。
【００７３】
上部空気流通手段５と上部表皮１１と下部表皮１２は、それぞれ、第１や第２の各実施形態例に示した上部空気流通手段５と上部表皮１１と下部表皮１２と同様な構成を有している。ユニット受容部４０は、ポリエチレン発泡体等の断熱材により構成されており、このユニット受容部４０には、第１の温度調整部２に対応する位置と、第２の温度調整部３に対応する位置とのそれぞれに図１１に示されるような凹部４０ａ，４０ｂが形成されている。第１の温度調整部２に対応する凹部４０ａには、第１の温度調整部２の温度調整を行うための後述するような温度調整ユニット４１−１が嵌め込まれて接着剤やねじ等の固定手段（図示せず）によって固定される。また、第２の温度調整部３に対応する凹部４０ｂには、第２の温度調整部３の温度調整を行うための後述するような温度調整ユニット４１−２が嵌め込まれて接着剤やねじ等の固定手段（図示せず）によって固定される。
【００７４】
図１２Ａには温度調整ユニット４１−１が簡略された分解図により示され、図１２Ｂには温度調整ユニット４１−１の模式的な断面図が示されている。この温度調整ユニット４１−１は、外囲体４４と、この外囲体４４に形成された凹部４４ａの凹部底面に配設される断熱手段４３と、この断熱手段４３の上側に積層配置され外囲体４４の凹部４４ａに収容配置される加熱手段（例えばヒーター）４６と、断熱手段４３および加熱手段４６が収容された外囲体４４の凹部４４ａの開口部を塞ぐカバー手段４５とを有して構成されている。なお、加熱手段４６に電源電力を供給するためのリード線等が設けられるが、図１２Ａと図１２Ｂでは、リード線等の図示は省略されている。
【００７５】
温度調整ユニット４１−１を構成する外囲体４４は、例えばステンレス等の熱伝導率の低い金属材料により構成されている。カバー手段４５は、硫化亜鉛等の遠赤外線透過率の高い材料や、金属又はフッ素系樹脂等から成るメッシュ等により構成されており、加熱手段４６が直接に上部空気流通手段５に接触することを防止するためのものである。
【００７６】
この第３実施形態例では、加熱手段４６は、非空気循環領域上のマット表面部位上の身体部分に熱（光）エネルギーを与える患部治療手段であり、遠赤外線ヒーターにより構成されている。図１３Ａには遠赤外線ヒーターの一構造例が模式的な断面図により示されている。図１３Ａの例では、遠赤外線ヒーターである加熱手段４６は、０．２〜０．４mm程度の厚みのポリイミドから成る耐熱性の絶縁体４８の中に、５０〜１００μｍ程度の厚みのニッケル合金から成る箔状の発熱体４７が埋め込まれて成る面状ヒーター上に、１００μｍ程度の厚みの多孔質の遠赤外線放射材料５３を塗布したものである。遠赤外線放射材料としては、身体の皮膚における吸収効果の高い波長領域である８〜１０μｍ域で１００℃以下の低温域でも効率的に遠赤外線を放射できる材料、例えばコージライト（２ＭｇＯ・２Ａｌ２Ｏ３，５ＳｉＯ２）や、βスポジュメン（Ｌｉ２Ｏ・Ａｌ２Ｏ３・４ＳｉＯ２）等の材料を用いることが好ましい。また、遠赤外線放射源としての例えばカーボンクロスや、コージライト等の遠赤外線放射性能の高い材料を溶液や粉体にして繊維材料表面に付着させて繊維材料表面を被覆したものを遠赤外線放射材料として採用してもよい。
【００７７】
断熱手段４３は、加熱手段４６から発せられた熱が外囲体４４に無用に伝熱されてしまうことを防止するためのものであり、例えば、直径１０μｍ程度の中空ガラス球を焼結したものや、パーライト等の熱伝導率の低いセラミックを厚さ５mm程度の板状に成形したものから成る。なお、より効果的に、加熱手段４６と、外囲体４４の凹部底面との間を断熱するために、加熱手段４６を断熱手段４３に面接触させず、例えば、加熱手段４６を断熱手段４３に数点で点接触させる構成としてもよい。さらに、断熱手段４３の加熱手段４６側の面にアルミ箔等を蒸着して成る赤外線反射手段を設けてもよい。
【００７８】
図１２Ａに示される温度調整ユニット４１−１は上記のように構成されており、この温度調整ユニット４１−１はユニット受容部４０の凹部４０ａに取り付けられ、図１１に示される第１の温度調整部２を加熱手段４６の輻射熱によって温度上昇させることができる。なお、遠赤外線は皮膚における光線吸収率が１と極めて効率的であるため、加熱手段４６の加熱温度は５０℃程度でも輻射効果は高い。また、温度調整ユニット４１−１においては、第１の温度調整部２を輻射熱によって加熱する構成であるために空気循環は必ずしも必要ではないが、局部的加熱による不快感を低減するために、上部空気流通手段５内において空気を循環させる構成を備えてもよい。
【００７９】
この第３実施形態例では、第１の温度調整部２には、図１２Ｂに示されるように、身体状態検知手段である湿度センサー４９が設けられている。この湿度センサー４９は、身体６５の皮膚表面から分泌される汗等の水分量を発汗量として検出するものである。湿度センサーには様々なタイプがあり、ここでは、何れのタイプの湿度センサーをも湿度センサー４９として採用してよいものであるが、その一例として、湿度センサーである容量型高分子センサーを挙げることができる。その容量型高分子センサーは、セルロースアセテートや、ポリビニルアルコール等の吸湿性の高い高分子フィルムの両面に金等の金属を蒸着したものの両側に電極リード線を設けた構造を有し、吸湿によって高分子フィルムの誘電率が変化して高分子フィルムの上下の金属膜間の静電容量が変化することを利用して湿度を検出するセンサーである。例えば、容量型高分子センサーとしては、日本パナメトリックス社ミニキャップ２がある。
【００８０】
図１２Ｂに示される例では、湿度センサー４９はセンサー収納体５０の内部に収納されている。センサー収納体５０は通気性、透湿性の高い材料、例えば綿繊維等で比較的疎に作られた織物により構成され、例えば、袋状や、枕から延出された袋状や、箱状のものが好ましい。
【００８１】
この第３実施形態例では、制御部３２は、予め定められメモリー３８に格納されている制御用のプログラムに従って、湿度センサー４９から出力される湿度情報（発汗情報）を時々刻々と取り込み、当該取り込んだ湿度情報に基づいて、身体６５から排泄される水分量が予め定められた設定値以下になるように温度調整ユニット４１−１の加熱手段４６の駆動制御を行う構成を有する。なお、加熱手段４６を手動操作するための患部治療手段用手動操作手段を設けてもよく、患部治療手段用手動操作手段が設けられる場合には、制御部３２は、患部治療手段用手動操作手段が手動操作されたことを検知したときには、加熱手段４６の自動制御を停止して、患部治療手段用手動操作手段による手動操作を優先させる構成としてもよい。
【００８２】
図１４Ａには温度調整ユニット４１−２が模式的な分解図により示され、図１４Ｂには温度調整ユニット４１−２の模式的な断面図が示されている。この温度調整ユニット４１−２は、ブロック体５１と、このブロック体５１に形成されたユニット空気循環路５２と、ユニット空気循環路５２内に配置されている断熱手段５８および循環空気温度調整手段である加熱手段５９と、ユニット空気循環路５２に空気を強制的に通すための空気循環手段４２とを有して構成されている。なお、加熱手段５９に電源電力を供給するためのリード線等が設けられるが、図１４Ａと図１４Ｂでは、リード線等の図示は省略されている。
【００８３】
ブロック体５１は、ユニット受容部４０の図１１に示す凹部４０ｂに収容配置されるものであり、凹部４０ｂに収容配置されたブロック体５１の上面はユニット受容部４０の上面と面一あるいはユニット受容部４０の上面よりも引っ込んだ位置となっている。ユニット空気循環路５２はブロック体５１の内部に形成されており、当該ユニット空気循環路５２の両端は、それぞれ、ブロック体５１の上面に開口している。
【００８４】
空気循環手段４２は例えば軸流ファンやシロッコファン等の送風ファンにより構成されており、当該空気循環手段４２は、この第３実施形態例では、ユニット空気循環路５２の端部に配設され、上部空気流通手段５内の空気を吸い込んでユニット空気循環路５２内に吐出するものである。この空気循環手段４２の駆動によって、図１４Ｂの矢印Ａに示されるような、上部空気流通手段５から空気循環手段４２とユニット空気循環路５２を通って上部空気流通手段５に戻る循環経路でもって空気が循環する。すなわち、この第３実施形態例では、上部空気流通手段５とユニット空気循環路５２によって、温度調整領域である第２の温度調整部３のマット内部領域内に空気を循環させるための空気循環通路が形成されている。
【００８５】
なお、空気循環手段４２をユニット空気循環路５２の開口部に設けることにより、温度調整マット１上に横たわった身体６５が空気循環手段４２を異物として感じることが懸念される場合には、例えば、図１４Ａに示されるような柔軟で通気性のあるウレタンフォーム等により構成されるクッション体５３や、ウレタン等の柔軟な材料から成る目の粗いメッシュシートを空気循環手段４２上に配置してもよい。
【００８６】
加熱手段５９は、ユニット空気循環路５２の内壁面に断熱手段５８を介して取り付けられている。加熱手段５９は、ユニット空気循環路５２を通っている循環空気を加熱するものであり、ユニット空気循環路５２の内部に配置できて循環空気を加熱する構成を有するものであれば、何れのタイプの加熱手段をも加熱手段５９として適宜に採用してよい。ただ、この第３実施形態例では、加熱手段５９は身体６５の体温調整に用いるもので加熱手段５９の温度可変範囲は常温から４０℃程度までの低温域で済むことから、このことを考慮して加熱手段５９として採用する加熱手段を設定することが好ましい。例えば、加熱手段５９として採用可能なものの例として、シリコンゴムに発熱体を内蔵させたヒーター等を挙げることができる。
【００８７】
断熱手段５８は、温度調整ユニット４１−１の断熱手段４３と同様な構成を有し、加熱手段５９から発せられた熱がブロック体５１に無用に伝熱されてしまうことを防止するためのものである。
【００８８】
図１４Ａと図１４Ｂに示されている温度調整ユニット４１−２は上記のように構成されている。この温度調整ユニット４１−２においては、空気循環手段４２の駆動によって、ユニット空気循環路５２と、第２の温度調整部３に対応する上部空気流通手段５の内部領域とを通る循環経路Ａでもって空気を循環させると共に、加熱手段５９の加熱動作（例えば３８℃の加熱）によって、その循環空気を加熱することによって、その加熱された循環空気が第２の温度調整部３に対応する上部空気流通手段５の内部領域を通る際に、第２の温度調整部３上に位置している身体部分（例えば脚部）と、循環空気とが上部表皮１１を介して熱交換して、第２の温度調整部３に位置している身体部分を暖める。なお、上記のように空気を循環しているときに、図１４Ｂの矢印Ｂに示されるように空気循環経路の外側から空気循環経路内に空気が取り込まれるが、その取り込まれる空気量は、循環空気の量に比べて少ないので、その取り込まれた空気による循環空気の温度低下は殆ど無い。
【００８９】
この第３実施形態例では、第２の温度調整部３には、図１４Ｂに示されるように、体温検知手段である温度センサー１５が設けられている。また、第３実施形態例の温度調整マット１には、第１と第２の各実施形態例と同様な制御ユニット４が設けられている。制御ユニット４の制御部３２は、温度センサー１５により検出される体温情報を時々刻々と取り込み、当該取り込んだ検出体温が、予め設定されてメモリー３８に格納されている目標の温度となるように加熱手段５９の加熱動作を制御する。これにより、前記循環空気の温度が制御されて第２の温度調整部３上に位置している身体部分の温度が調整される。なお、より一層精密に循環空気の温度を制御する場合には、例えば、ユニット空気循環路５２内に、循環空気の温度を検出するための温度センサーを設け、制御部３２は、その温度センサーにより検出される温度情報をも考慮して加熱手段５９の加熱動作を制御する構成としてもよい。また、加熱手段５９を手動操作するための循環空気温度調整手段用手動操作手段を設けてもよく、循環空気温度調整手段用手動操作手段が設けられる場合には、制御部３２は、循環空気温度調整手段用手動操作手段が手動操作されたことを検知したときには、加熱手段５９の自動制御を停止して、循環空気温度調整手段用手動操作手段による手動操作を優先させる構成としてもよい。
【００９０】
この第３実施形態例は上記のように構成されている。この第３実施形態例では、温度調整ユニット４１−１，４１−２が同時に動作している場合と、温度調整ユニット４１−１，４１−２の何れか一方だけが動作している場合とがある。
【００９１】
なお、この第３実施形態例では、ユニット受容部４０は断熱材により構成されていたが、ユニット受容部４０の構成材料は断熱材に限られることなく、ユニットとして組立て入れ替えの出来るもの、例えばベッドにおいて従来から多用されているスプリングを多数並べて繋いで籠状に形成したスプリングユニットによりユニット受容部４０を構成してもよい。
【００９２】
また、この第３実施形態例では、温度調整ユニット４１−１の加熱手段４６は遠赤外線ヒーターにより構成されていたが、例えば、加熱手段４６は、近赤外線ヒーターであってもよい。遠赤外線は皮膚への浸透力が最大２mmであるのに対して、近赤外線は身体組織内への浸透力が１０mm程度と高い。このために、加熱手段４６として近赤外線ヒーターを設けることによって、筋肉組織を加温することができる。図１３Ｂ（ａ）には近赤外線ヒーターの一形態例が示され、図１３Ｂ（ｂ）には図１３Ｂ（ａ）の近赤外線ヒーターの側面図が示されている。図１３Ｂ（ａ）、（ｂ）に示される近赤外線ヒーターは、エポキシ樹脂やポリイミドフィルム等から成るプリント配線基板９０と、このプリント配線基板９０に搭載される光線放射手段９１と、患部配置位置の位置決め用手段９２とを有して構成されている。光線放射手段９１は、近赤外線（波長１０００nmおよびその近傍の光線）を放射するものであり、例えば波長９４０nmの光線を放射する発光ダイオードにより構成される。図１３Ｂに示す例では、複数（例えば１６個）の光線放射手段９１がマトリクス状に配列配置されている。位置決め用手段９２は、マットの外側から見て光線放射手段９１の配置位置の目安となって加温対象（治療対象）の身体部分を光線放射手段９１の配置位置に位置合わせ易くするためのものであり、例えば発光手段（例えば波長７００nmの赤色発光ダイオード）により構成される。図１３Ｂの例では、位置決め用手段９２は、マトリクス状に配列配置されている光線放射手段９１の配置領域の四隅部にそれぞれ設けられている。
【００９３】
近赤外線ヒーターから成る加熱手段４６が温度調整ユニット４１−１に設けられる場合にも、前記同様に、制御部３２によって加熱手段４６の駆動制御が行われる。また、その加熱手段４６のための手動操作手段を設けてもよく、加熱手段４６のための手動操作手段が設けられる場合に、その手動操作手段が手動操作されたときには、制御部３２は加熱手段４６の自動制御を停止して、手動操作を優先させる。なお、図１３Ｂの例では、光線放射手段９１は平板であるプリント基板に搭載されていたが、例えば、光線放射手段９１から放射された光線を効率良く身体に照射できるような曲面を有する載置台の上記曲面上に光線放射手段９１を設けてもよい。−
【００９４】
さらに、この第３実施形態例では、患部治療手段として加熱手段４６を設けていたが、例えば、加熱手段４６に代えて、振動エネルギーを出力する超音波出力手段等の他の患部治療手段を設けてもよい。そのような超音波出力手段等の患部治療手段を設ける場合にも、制御部３２は、予め定められた制御用プログラムに従って患部治療手段の駆動制御を行う構成を備える。また、患部治療手段の手動操作手段を設けてもよく、この場合には、制御部３２は、その手動操作手段が手動操作されたときには、患部治療手段の自動制御を停止して、手動操作を優先させる構成を備える。
【００９５】
以下に、第４実施形態例を説明する。なお、第４実施形態例の説明において、第１〜第３の各実施形態例と同一構成部分には同一符号を付し、その共通部分の重複説明は省略する。
【００９６】
この第４実施形態例では、温度調整マット１は、図１７の模式的な断面図に示されるように、第１実施形態例と同様に、下部空気流通手段６と流通路制御手段７と上部空気流通手段５が順に下側から積層形成され、当該積層体が上部表皮１１および下部表皮１２から成る表皮によって覆われている構成を有する。
【００９７】
この第４実施形態例では、温度調整マット１に横たわった身体６５の頭部から膝位までの身体部位に対応する温度調整マット１の表面部分が温度調整対象領域として予め設定されている。流通路制御手段７には、その温度調整対象領域の頭部側の端部に対応する位置と、温度調整対象領域の膝側の端部に対応する位置とのそれぞれに、貫通孔１７が形成されている。また、下部空気流通手段６には、流通路制御手段７の上記２つの貫通孔１７の形成位置間の領域に渡る凹部１８が形成されている。この凹部１８には、前記温度調整対象領域の頭部側の端部に対応する位置に空気循環手段１０が配設され、また、この空気循環手段１０の隣接させて熱交換手段８が配設されている。空気循環手段１０はシロッコファン等の送風ファンにより構成され、この第４実施形態例では、上部空気流通手段５の内部の空気を流通路制御手段７の貫通孔を介して吸引し下部空気流通手段６の凹部１８に向けて吐出するように配設されている。熱交換手段８は、下部空気流通手段６の凹部１８内、つまり、空気循環手段１０から吐出された空気の流通経路上に設けられ、その吐出空気の温度調整を行うものであり、例えば、第１実施形態例に述べたようなペルチェモジュールやヒーター等により構成されている。
【００９８】
この第４実施形態例では、空気循環手段１０の駆動によって、上部空気流通手段５内の空気が流通路制御手段７の貫通孔を介して空気循環手段１０に吸い込まれて下部空気流通手段６の凹部１８内に向けて吐出される。そして、その吐出された空気は熱交換手段８により温度調整され、当該温度調整された空気は、凹部１８と、温度調整対象領域の膝側の端部に対応する位置の流通路制御手段７の貫通孔１７とを通って上部空気流通手段５に至る。つまり、空気循環手段１０の駆動によって、上部空気流通手段５と、流通路制御手段７の貫通孔と、下部空気流通手段６の凹部１８と、流通路制御手段７の貫通孔１７とを順に通って空気が循環する。すなわち、この第４実施形態例では、上部空気流通手段５と、流通路制御手段７と、下部空気流通手段６の凹部１８とによって、温度調整対象領域のマット内部領域内に空気を循環させるための空気循環通路が構成されている。この空気循環通路の一部は温度調整対象領域のマット表皮部位に沿う態様となっており、熱交換手段８により温度調整された循環空気と、温度調整対象領域上の身体部分とのマット表皮を介した熱交換によって、温度調整対象領域上の身体部分の温度調整を行うことができる。
【００９９】
図１６には第４実施形態例の温度調整マット１を上方側から見た平面図が示されている。この図１６および図１７に示されるように、この第４実施形態例の温度調整マット１においては、マット表面の温度調整対象領域には体温検出手段である複数の温度センサー５６が設けられている。それら温度センサー５６は、例えば、温度調整マット１に横たわる身体６５の背中部分に対応する位置を横切る態様の線と、身体６５の腰部分に対応する位置を横切る態様の線とのそれぞれの線上に沿って点在配置され接着剤等の固定手段によって上部表皮１１に固定されている。温度センサー５６は、身体６５の体温を感知するセンサーであり、例えば、サーミスタや、白金抵抗体あるいは熱電対を細線の先端部に設けた構成を持つものにより構成されている。
【０１００】
この第４実施形態例では、温度調整対象領域のマット内部領域内には、身体状態検知手段である複数の体圧検知手段５７が点在配置されている。体圧検知手段５７は、身体６５の体圧を検知するものであり、例えば、細線の先端に設けた歪ゲージや、面状の圧力センサーにより構成される。面状の圧力センサーとしては、例えば、プラスチック（例えば軟質ポリウレタンなど）やセラミックス等から成る薄肉の誘電体シートの上下両面にそれぞれ金属薄膜を設けた構造を有し、圧力印加による上記金属薄膜間の静電容量の変化を利用して印加圧力を検知する構成を持つもの（感圧センサー）がある。また、面状の圧力センサーとして、圧力印加によって電圧変化を起こす複数のピエゾ素子を互いに間隔を介して平面状に並べて配置した構成のものもある。
【０１０１】
この第４実施形態例では、体圧検知手段５７は、上部空気流通手段５と流通路制御手段７との間に挟まれる態様で設けられており、これにより、温度調整マット１上の身体６５が体圧検知手段５７を異物として感じることを防止しながら、体圧変化を感度良く検知することができる。
【０１０２】
この第４実施形態例では、第１実施形態例と同様に、制御ユニット４が設けられており、この制御ユニット４は、図１９のブロック構成図に示されるように、制御部３２と、体温データ処理部３４と、メモリー３８と、体圧データ処理部５５と、カウンター６２とを有して構成されている。
【０１０３】
体温データ処理部３４は、複数の温度センサー５６により検出される温度情報（体温情報）を時々刻々と（例えば１０秒毎に）取り込み、同じ時点で取り込んだ温度情報を互いに比較し、それら温度情報のうちで最も高い検出値を身体６５の体温（皮膚温度）として出力する。なお、現実的には身体６５は衣服をまとっていることが多いために、温度センサー５６による検出温度は、身体６５の実際の皮膚温度よりも例えば０．３〜０．５℃程度低いものとなる。このことから、例えば、温度センサー５６による検出温度に予め設定した嵩上げ値（例えば０．５℃）を加算し当該加算後の値を身体６５の体温（皮膚温度）としてもよい。
【０１０４】
体圧データ処理部５５は、複数の体圧検知手段５７の各検出値をそれぞれ時々刻々と（例えば１０秒毎に）取り込む。ところで、例えば、温度調整マット１上に横たわる身体６５が、図１６のｂ位置からｃ位置に重心移動するように矢印（Ａ）の方向に寝返りにより姿勢を変化させると、ｂ位置の体圧検知手段５７の検出値（図１８の実線ｂ参照）が低下し、ｃ位置の体圧検知手段５７の検出値（図１８の実線ｃ参照）が増加する。このように、体圧検知手段５７の検出値の変化を見ることで（例えば、体圧検知手段５７の検出値のピークの立ち下がり回数によって）、温度調整マット１上の身体６５の姿勢変化状態を知ることができる。なお、体圧検知手段５７から出力される値には、身体６５の心拍や呼吸等に起因した４〜６Hz程度の振動がノイズ成分として乗ってしまうが、この第４実施形態例では、ローパスフィルター等のフィルタ手段によって、体圧検知手段５７の検出値から上記ノイズ成分が減衰され当該ノイズ減衰後の体圧検知手段５７の検出値が体圧データ処理部５５に取り込まれる。
【０１０５】
体圧データ処理部５５は、取り込んだ各体圧検知手段５７の検出値の変化を監視し、各体圧検知手段５７の検出値のそれぞれについて、検出値の大きさが予め設定したしきい値Ａ以上となったピークの立ち下がりをカウンター６２を利用してカウントする。
【０１０６】
この第４実施形態例では、メモリー３８には、温度調整マット１上の身体６５の基準となる目標温度データが予め格納されている。また、メモリー３８には、身体６５の状態情報（この第４実施形態例では、カウンター６２によりカウントされている体圧検知手段５７の検出値のピーク数の情報）に基づいて温度調整対象領域上の身体６５の目標の温度を設定（変更）するためのデータが予め定められ目標温度設定用データとして格納されている。制御部３２は、カウンター６２のカウント値を時々刻々と取り込んで、例えば、予め定めた時間（例えば１０分間）の間に、何れかの体圧検知手段５７の検出値のピークの立ち下がり回数が設定数（例えば２回）以上になったことを検知したときには、上記メモリー３８の目標温度設定用データに基づいて目標の温度を例えば基準の目標温度よりも下げる方向に設定・変更する。
【０１０７】
また、制御部３２は、体温データ処理部３４から出力される体温（皮膚温度）が上記基準の目標温度データに基づいた目標の温度、あるいは、上記のように目標温度が設定変更されたときには変更後の目標の温度となるように、空気循環手段１０および熱交換手段８の駆動制御を行う構成を備えている。
【０１０８】
この第４実施形態例では、上記のような制御部３２の制御動作によって、温度調整マット１内に循環している空気の温度が調整されて温度調整マット１上の身体６５の温度調整を行うことができる。これにより、例えば、制御部３２が第１実施形態例に示したような目標温度データＡを基準の目標温度データとして利用して熱交換手段８の動作を制御することにより、温度調整マット１上に身体６５が横たわったばかりのときには身体６５の皮膚内の血管が開くように身体６５の体温をやや高めに温度調整し、その後、ゆっくり身体６５の体温を下げるというような体温調整が可能であり、これにより、温度調整マット１上に横たわった身体６５を快適に入眠させることができる。また、寝付きが悪いときには身体６５の体温が高くて皮膚表面下の血管が開いたままの状態であり、この寝付かれない場合には寝返り等の体動が多くなっていることから、制御部３２が、体圧検知手段５７の検出値に基づいて目標温度を下げる方向に変更設定し当該変更後の目標温度に基づいて熱交換手段８の動作を制御することによって、身体６５の体温を下げることができ、これにより、身体６５を速やかに入眠させることができる。
【０１０９】
なお、この第４実施形態例においても、第１実施形態例と同様に、温度調整マット１の周囲の温度を検出する外部検知手段である外気温センサー３６を設け、また、メモリー３８には、外気温センサー３６により検出される周囲環境情報である外気温に基づいて目標の温度を設定（変更）するためのデータを予め定め目標温度設定用データとして与えておく。そして、制御部３２は、外気温センサー３６の検出値と、上記メモリー３８の目標温度設定用データとに基づいて温度調整対象領域上の身体部分の目標温度を設定・変更する構成を備えていてもよい。さらに、マット上の身体６５の発汗状態を検知する身体状態検知手段である湿度センサー４９を設け、制御部３２は、その湿度センサー４９の検出値を利用して、上記同様に温度調整対象領域上の身体部分の目標温度を設定・変更する構成を備えていてもよい。
【０１１０】
以下に、第５実施形態例を説明する。なお、この第５実施形態例の説明において、第１〜第４の各実施形態例と同一構成部分には同一符号を付し、その共通部分の重複説明は省略する。
【０１１１】
この第５実施形態例では、第１〜第４の各実施形態例の構成に加えて、例えば、図２０の模式的な断面図に示されるように、温度調整マット１には、吹き出し口６０と、外気取り込み口６１とが設けられている。吹き出し口６０は、マット内の空気の一部を放出するための放出口である。当該吹き出し口６０は、温度調整マット１の側部において、第１や第２の空気循環手段１０，１６の駆動による循環空気の経路の近傍部分に設けられており、循環空気の一部が吹き出し口６０から外部に向けて噴出する。
【０１１２】
外気取り込み口６１は、その放出された空気量を補完するために外部の空気をマット内に取り込む空気取り込み口である。この外気取り込み口６１は、温度調整マット１の側部において、吹き出し口６０に対向する部分であって、第１や第２の空気循環手段１０，１６の駆動による循環空気の近傍となる部分に設けられており、循環空気の流れに引き込まれて外気が外気取り込み口６１を介してマット内に取り込まれる。外気取り込み口６１には、マット内に入り込む外気の湿度を低下させるための調湿通気手段５４と、外気中の埃を除去するためのフィルターとが設けられている。調湿通気手段５４は、例えば、シリカゲル等の乾燥剤、あるいは、ゼオライト等の吸湿性材料が内蔵され、また、外気を加熱して乾燥させるためのヒーターが設けられている構成を有する。当該調湿通気手段５４を設けることにより、マット内に取り込まれる外気の湿度を低下させることができて、高湿度に起因して生ずるマット内での結露やカビ等の発生を抑制することができる。
【０１１３】
この第５実施形態例の温度調整マット１が救急用ストレッチャー等に使用される場合には、温度調整マット１上の身体（患者）６５に毛布等をかけることにより、吹き出し口６０が毛布等により覆われて吹き出し口６０から放出された空気は寝床内に入り込むので、吹き出し口６０から放出された空気を温度調整マット１上の身体６５に当てることができる。その放出された空気は、温度調整されたものであることから、その温度調整された空気が身体６５に当たることにより、急速に体温を上げる、あるいは、下げることができる。
【０１１４】
以下に、第６実施形態例を説明する。なお、この第６実施形態例の説明において、第１〜第５の各実施形態例と同一構成部分には同一符号を付し、その共通部分の重複説明は省略する。
【０１１５】
図１５（Ａ）には第６実施形態例の温度調整マット１が模式的な断面図により示され、図１５（Ｂ）には図１５（Ａ）の温度調整マット１から第６実施形態例において特有な構成部分が抜き出されて示されている。この第６実施形態例では、温度調整対象領域である第１の温度調整部が、例えば、温度調整マット１上に横たわる身体６５の頭部から腰部までに対応する広めの領域に設定され、温度調整対象領域である第２の温度調整部が、例えば、身体６５の腰部に対応する狭い領域に設定されているというように、広めの温度調整対象領域の一部に狭い別の温度調整対象領域がオーバーラップするように設定されている。
【０１１６】
この第６実施形態例の温度調整マット１は、第１実施形態例と同様に、下部空気流通手段６と流通路制御手段７と上部空気流通手段５が下から順に積層配置され当該積層体が上部表皮１１および下部表皮１２から成るマット表皮に覆われている構成を有する。流通路制御手段７には、第１の温度調整部の両端部にそれぞれ対応する位置に貫通孔が設けられると共に、それら貫通孔間の領域であって第２の温度調整部の端部に対応する位置に貫通孔が設けられている。下部空気流通手段６の上面には、第１の温度調整部の両端部にそれぞれ対応させて流通路制御手段７に設けられた一方側の貫通孔から他方側の貫通孔に空気を通すための空気流通路を構成する凹部１８が形成されている。また、流通路制御手段７に形成された前記３つの貫通孔の形成領域には、それぞれ、シロッコファン等の送風ファンから成る空気循環手段１０，１６，６４が配設されている。
【０１１７】
この第６実施形態例では、例えば、第１の空気循環手段１０と第２の空気循環手段１６を駆動させることにより、温度調整マット１内に実線の矢印（ｂ）に示されるような広めの第１の温度調整部のマット内部領域内の空気循環を生じさせることができる。その循環空気の温度調整を行うために第１の空気循環手段１０の吐出側には、第１実施形態例に示した熱交換手段８と同様な構成を持つ熱交換手段８が配設されている。この第６実施形態例においても、温度調整マット１には制御ユニット４が設けられており、制御ユニット４を構成する制御部３２は、マット表面に設けられた体温検出手段である温度センサー５６により検出される身体６５の体温が予め設定された目標の温度となるように熱交換手段８の駆動制御を行う構成を有する。これにより、空気循環手段１０，１６の駆動による循環空気が温度調整されて、広めの第１の温度調整部上に位置している身体部分（例えば身体６５の頭部から腰部にかけての部分）の温度調整を行うことが可能である。例えば、夏場等には、目標の温度を低めに設定しておけば、循環空気の温度が低めとなって第１の温度調整部上に位置している身体部分の体温を下げることができる。
【０１１８】
また、空気循環手段１６，６４を駆動させることにより、第２の温度調整部のマット内部領域内に図１５の点線の矢印（ａ）に示されるような経路でもって空気が循環する。この循環空気の温度調整を行うための例えばヒーター等の熱交換手段６２が設けられている。また、制御ユニット４の制御部３２は、マット表面部の温度センサー５６により検出される身体６５の体温が予め設定された目標の温度となるように熱交換手段６２の駆動制御を行う構成を有する。これにより、空気循環手段１６，６４の駆動による循環空気が温度調整されて、狭い第２の温度調整部上に位置している身体部分（例えば身体６５の腰部）の温度調整を行うことが可能である。例えば、目標の温度を高めに設定することにより、第２の温度調整部上に位置している局所的な身体部分（例えば腰部）を暖めることができて、例えば身体６５の腰部を熱により加療することができる。
【０１１９】
上記のように、この第６実施形態例では、身体６５の広めの領域の温度調整と、身体６５の局所的な温度調整とを切り替えて行うことができる。さらに、空気循環手段１０，１６，６４を同時に駆動させることにより、温度調整マット内に、図１５の点線の矢印（ａ）に示されるような空気循環と、実線の矢印（ｂ）に示されるような空気循環との両方を発生させることができる。
【０１２０】
以下に、第７実施形態例を説明する。なお、この第７実施形態例の説明において、第１〜第６の各実施形態例と同一構成部分には同一符号を付し、その共通部分の重複説明は省略する。
【０１２１】
この第７実施形態例では、循環空気温度調整手段をマット内に設けるのに代えて、例えば、図２２の温度調整マットの模式的な断面図に示されるように、循環空気温度調整手段である熱交換手段８（９）を内蔵した循環空気温度調整ユニットである熱交換ユニット７８（７９）がマット外部に外付けされており、空気循環通路の一部が、その熱交換ユニット７８（７９）内に形成されている。この構成以外の構成は前記各実施形態例と同様である。
【０１２２】
図２２の例では、マット内の空気循環通路と、熱交換ユニット７８（７９）内に形成された空気循環通路とを連通させるために、マット表皮には貫通孔が形成されている。また、マット内および熱交換ユニット７８（７９）内に形成されている空気循環通路を通して空気を循環させるための例えば送風ファンにより構成される空気循環手段１０，１６は、図２２の例では、熱交換ユニット内に配設されている。
【０１２３】
この第７実施形態例では、空気循環経路の一部が外付けの熱交換ユニット内に形成されているので、空気循環領域は広いものとなる。このため、予め設定された温度調整対象領域が狭い場合には、例えば、上部表皮１１の裏面に、温度調整対象領域以外の領域に対応させて断熱手段７４を設ける。
【０１２４】
なお、この発明は第１〜第７の各実施形態例の形態に限定されるものではなく、様々な実施の形態を採り得る。例えば、第１〜第７の各実施形態例では、上部空気流通手段５は、図４に示されるような構成を有する例を示したが、上部空気流通手段５は、図４の構成に限定されるものではなく、クッション性を持ちながら空気の流通（例えばＪＩＳ規定のフラジール通気度が１００（cm3／cm2／ｓ）以上の空気流通度を有すること）が可能な構成であれば、適宜な構成を採用してよいものである。例えば、上部空気流通手段５は、プラスチックや金属等の材料によって籠状に形成されたものであってもよい。また、上部空気流通手段５は、目の粗い通気性の高い織物や、スリットの入ったウレタンフォームの上側に、目が細かくて柔らかい織物を積層して成る積層体により構成してもよい。この場合には、温度調整マット１上に横たわる身体６５に、上部空気流通手段５の構造に起因した異物感や違和感を与えることを防止することができる。さらに、上部空気流通手段５は、図２１に示されるような構成を有してもよい。図２１の例では、上部空気流通手段５は、易変形・低弾性材である低反発ウレタン発泡材６９と、低反発ウレタン発泡材６９の上側に積層配置される立体織物等から成る高通気材７０とを有して構成されている。低反発ウレタン発泡材６９の内部には、空気循環通路を構成するための複数の孔通路７１が設けられている。また、低反発ウレタン発泡材６９の上面には、孔通路７１に連通する複数の開口部７２が形成されており、それら開口部７２によって、孔通路７１を通ってマット内を循環している空気と、温度調整マット１上の身体６５との効率の良い熱交換を実現している。
【０１２５】
さらに、第６実施形態例では、図１５（Ａ）に示されるように、マット表面における第１の温度調整部の温度調整と、第２の温度調整部の温度調整とを両方共に空気循環を利用して行う構成であったが、第１の温度調整部の一部に第２の温度調整部がオーバーラップしている場合には、狭い方の第２の温度調整部は、空気循環を利用した温度調整ではなく、例えば遠赤外線等の輻射熱を利用して温度調整を行う構成としてもよい。これにより、第１と第２の各温度調整部の温度調整を両方同時に行う場合に、第１の温度調整部の温度調整を行うための循環空気の温度制御を精度良く行うことができる。つまり、第１の温度調整部の一部に第２の温度調整部がオーバーラップしていることにより、図１５（Ａ）に示されるように、第１の温度調整部に対応する循環空気と、第２の温度調整部に対応する循環空気とが混合する部分が生じる。この循環空気の混合によって、循環空気の温度制御が難しくなる。これに対して、第１の温度調整部は循環空気を利用して温度調整する構成とし、第２の温度調整部は循環空気ではなく輻射熱を利用して温度調整する構成とすることによって、循環空気の温度制御が容易となって精度を高めることができる。
【０１２６】
上記のように、第１の温度調整部の一部に第２の温度調整部がオーバーラップしている場合に、広めの第１の温度調整部の温度調整は空気循環を利用して行い、狭い第２の温度調整部の温度調整は例えば遠赤外線等の輻射熱を利用して行うことによって、例えば、第１の温度調整部上に位置している広めの身体部分（例えば背中から腰部にかけての身体部位）を暖めながら、その暖めている温度よりも高めの温度でもって第２の温度調整部上に位置している局所的な身体部分（例えば腰部）を加温することが容易となる。
【０１２７】
さらに、第２実施形態例に示した温度調整ユニット４１−１に代えて、図２３に示されるような空気循環を利用して温度調整対象領域上の身体部分の温度調整を行うための温度調整ユニット８６を設けてもよい。この温度調整ユニット８６は上面開口の容器７７を有し、この容器７７内には外囲体４４と、外囲体４４に形成された凹部４４ａに配設されている断熱手段４３および加熱手段４６と、外囲体４４の凹部４４ａの開口部を塞ぐ態様で配置されるカバー手段４５と、外囲体４４の上側に積層配置される流通路制御手段７と、流通路制御手段７の上側に積層配置される上部空気流通手段５と、送風ファン等から成る空気循環手段７５とが収納配設されている。図２３の例では、上部空気流通手段５と流通路制御手段７は、それぞれ、第１〜第７の各実施形態例に示した上部空気流通手段５、流通路制御手段７とそれぞれ同様な構成を有するものである。また、外囲体４４と断熱手段４３と加熱手段４６とカバー手段４５は、それぞれ、第２実施形態例に示した温度調整ユニット４１−１の外囲体４４、断熱手段４３、加熱手段４６、カバー手段４５とそれぞれ同様な構成を有するものである。温度調整ユニット８６の流通路制御手段７およびカバー手段４５には、それぞれ、外囲体４４の凹部４４ａの互いに対向し合う端縁部にそれぞれ対応させて貫通孔１７が形成されており、一方側の貫通孔１７の形成領域に空気循環手段７５が配設されている。この空気循環手段７５の駆動によって、図２３の矢印Ｍに示されるような空気循環が発生する。この空気循環経路上に熱交換手段である加熱手段４６が設けられている。
【０１２８】
図２３に示される温度調整ユニット８６は上記のように構成されており、このような温度調整ユニット８６が設けられる場合においても、前記各実施形態例と同様な制御ユニット４の制御部３２の制御動作によって、循環空気温度調整手段である加熱手段４６の駆動が制御される。これにより、空気循環手段７５の駆動による循環空気が加熱手段４６により温度調整され、当該温度調整された循環空気が、温度調整ユニット８６上のマット表面部分に位置している身体部分との間で上部表皮１１を介して熱交換して身体６５の温度調整が行われる。
【０１２９】
さらに、温度調整マット１は、例えば、図２４Ａに示されるように、複数のマット部８０，８１，８２が連結部８４により連結されて１枚のマットと成している構成としてもよい。このように温度調整マット１を構成することにより、温度調整マット１を折り畳むことが容易となる。図２４Ａの例では、マット部８１の表面が温度調整対象領域に設定されており、マット部８１は、図２４Ｂの模式的な断面図に示されるような内部構成を有している。つまり、マット部８１は、下部空気流通手段６と、第１の流通路制御手段７９と、第２の流通路制御手段７８と、上部空気流通手段５とが下から順に積層され当該積層体が上部表皮１１および下部表皮１２から成るマット表皮によって覆われている構成を有している。上部空気流通手段５は、前述した上部空気流通手段５と同様の構成を有している。第１の流通路制御手段７８と、第２の流通路制御手段７９との互いに向き合う面は滑り面と成し、第１と第２の流通路制御手段７８，７９は互いに滑り移動してずれることができる。これら第１と第２の各流通路制御手段７８，７９には、それぞれ、上下方向に貫通する複数の貫通孔１７ａ，１７ｂが互いに間隔を介して形成されている。下部空気流通手段６の上面には、第１と第２の各流通路制御手段７８，７９の貫通孔１７ａ，１７ｂの形成領域間の部分に渡って凹部１８が形成されている。この凹部１８にはシロッコファン等の送風ファンから成る空気循環手段１０が配置されている。この空気循環手段１０の駆動によって、例えば、上部空気流通手段５の内部の空気が第１と第２の各流通路制御手段７８，７９の貫通孔１７ａを通って空気循環手段１０に吸い込まれて凹部１８に吐出され、当該吐出された空気は凹部１８を通り第１と第２の各流通路制御手段７８，７９の貫通孔１７ｂを抜けて上部空気流通手段５に戻る。つまり、空気循環手段１０の駆動によって、マット部８１の内部に空気循環が生じる。マット部８１の内部には、その循環空気の温度調整を行うための循環空気温度調整手段（図示せず）が設けられている。この場合にも、温度調整マット１には前記各実施形態例に示したと同様の制御ユニット４が設けられており、制御ユニット４の制御部３２の制御動作によって、上記循環空気温度調整手段の駆動制御が成されて、空気循環手段１０の駆動による循環空気が温度調整され、これにより、マット部８１上の身体部分の温度調整を行うことができる。
【０１３０】
さらに、図２５に示されるような構成としてもよい。図２５の例では、身体６５の温度調整用の循環空気温度調整手段である熱交換手段８（９）を内蔵した熱交換ユニット８７（８８）がマット外部に外付けされている。また、熱交換ユニット８７（８８）内の熱交換手段８（９）と、温度調整対象領域２（３）のマット内部領域との間を熱的に接続させるための熱伝達手段２５が設けられている。例えば、熱交換ユニット８７の熱交換手段８がペルチェモジュール２２を有して構成されている場合には、例えば、ペルチェモジュール２２の冷却動作によってペルチェモジュール２２に連接されている熱伝達手段２５が冷やされる。一方、温度調整対象領域２上に位置している身体部分の熱がマット内部に伝熱され、熱伝達手段２５との間で熱交換されて温度調整対象領域２上の身体部分の体温を下げる。また、例えば、熱交換ユニット８８の熱交換手段９がヒーター等の加熱手段４６を有して構成されている場合には、例えば、加熱手段４６の加熱動作によって加熱手段４６に連接されている熱伝達手段２５が加熱される。この熱伝達手段２５の熱が温度調整対象領域３上の身体部分に伝熱されて温度調整対象領域３上の身体部分の体温を上昇させることができる。
【０１３１】
さらに、第１〜第７の各実施形態例では、温度調整マット１は、身体６５が横たわる際に使用するマットを例にして説明したが、第１〜第７の各実施形態例に示した構成は、ソファ等にも適用することができる。
【０１３２】
さらに、前記各実施形態例では、身体状態検知手段として姿勢変化状態や発汗状態を検知する手段を設け、その身体状態検知手段により検出される身体状態に基づいて制御ユニット４の制御部３２が制御動作する例を示したが、もちろん、身体状態検知手段として身体６５の心拍数や血圧等を検知する上記以外の身体状態を検知する手段を設け当該検知手段の検出情報に基づいて制御部３２が制御動作してもよいものである。
【０１３３】
さらに、前記各実施形態例では、体温検知手段の検出値が目標温度となるように循環空気温度調整手段の駆動制御を行う例を示したが、例えば、身体状態検知手段が設けられる場合には、制御ユニット４の制御部３２は、その身体状態検知手段の検出値が予め設定された値となるように循環空気温度調整手段を制御する構成としてもよい。
【０１３４】
さらに、前記各実施形態例に示した上部表皮１１は、身体６５との熱交換をより効率良くするために、当該上部表皮１１を構成する繊維体に８０〜９０メッシュ程度の柔軟なアルミや銅や焼成カーボン等の高熱伝導体から成る金属メッシュを用いてもよい。
【図面の簡単な説明】
【０１３５】
【図１】第１実施形態例の温度調整マットの外観例を示す斜視図である。
【図２】図１の温度調整マットのＡ―Ａ部分の断面図である。
【図３Ａ】第１実施形態例の温度調整マットの内部構成を説明するための分解図である。
【図３Ｂ】図３Ａに示される下部空気流通手段の平面図である。
【図４】第１実施形態例の温度調整マットを構成する上部空気流通手段の一構造例を示したモデル図である。
【図５Ａ】熱交換手段の一構成例を説明するためのモデル図である。
【図５Ｂ】熱交換手段に熱的に接続される熱伝達手段の一構成例を説明するための模式的な断面図である。
【図６】熱交換手段の別の構成例を説明するためのモデル図である。
【図７Ａ】第１実施形態例の温度調整マットに設けられる制御部の体温データ処理部のデータ処理動作の一例を説明するためのグラフである。
【図７Ｂ】第１実施形態例の温度調整マットに設けられる制御部の身体温度調整に関わる制御動作例を説明するためグラフである。
【図８】第１実施形態例の温度調整マットに設けられる制御構成例を説明するためのブロック構成図である。
【図９Ａ】第２実施形態例を説明するためのモデル図である。
【図９Ｂ】本発明に係る温度調整マット上の身体の温度調整を行うための温度調整マットの制御動作の一例を説明するためのグラフである。
【図１０】第３実施形態例の温度調整マットを説明するための平面図である。
【図１１】第３実施形態例の温度調整マットの内部構成を説明するための模式的な分解図である。
【図１２Ａ】第３実施形態の温度調整マットを構成する温度調整ユニットの一構成例を説明するための分解斜視図である。
【図１２Ｂ】図１２Ａに示される温度調整ユニットを温度調整マットに組み込んだ状態で表した断面図である。
【図１３Ａ】加熱手段の一つである遠赤外線ヒーターの一構成例を示した断面図である。
【図１３Ｂ】加熱手段の一つである近赤外線ヒーターの一構成例を示した断面図である。
【図１４Ａ】第３実施形態の温度調整マットを構成する別の温度調整ユニットの一構成例を説明するための図である。
【図１４Ｂ】図１４Ａに示される温度調整ユニットを温度調整マットに組み込んだ状態で表した断面図である。
【図１５】第６実施形態例の温度調整マットを説明するための図である。
【図１６】第４実施形態例の温度調整マットを構成する体温検知手段および体圧検知手段の配置位置例を説明する平面図である。
【図１７】第４実施形態例の温度調整マットの内部構成例を表した断面図である。
【図１８】第４実施形態例における身体の温度調整に関わる制御動作例を説明するための図である。
【図１９】第４実施形態例の温度調整マットを構成する制御部の制御構成例を説明するためのブロック図である。
【図２０】第５実施形態例の温度調整マットを説明するための図である。
【図２１】上部空気流通手段の別の形態例を説明するための図である。
【図２２】その他の実施形態例を説明するための図である。
【図２３】温度調整ユニットのその他の構成例を説明するための模式的な断面図である。
【図２４Ａ】本発明に係るその他の実施形態例の温度調整マットを説明するためのモデル図である。
【図２４Ｂ】図２４Ａに示される温度調整マットの内部構成例を説明するための模式的な断面図である。
【図２５】さらに別のその他の実施形態例を説明するための図である。
【符号の説明】
【０１３６】
１  温度調整マット
４  制御ユニット、
５  上部空気流通手段
６  下部空気流通手段
７  流通路制御手段
８，９  熱交換手段
１４，１５，５６  温度センサー
３６  外気温センサー
４９  湿度センサー
５７  体圧検知手段
６０  吹き出し口
６１  外気取り込み口
７８，７９  熱交換ユニット
【図１】
2007175476.tif 000003
【図２】
2007175476.tif 000004
【図３Ａ】
2007175476.tif 000005
【図３Ｂ】
2007175476.tif 000006
【図４】
2007175476.tif 000007
【図５Ａ】
2007175476.tif 000008
【図５Ｂ】
2007175476.tif 000009
【図６】
2007175476.tif 000010
【図７Ａ】
2007175476.tif 000011
【図７Ｂ】
2007175476.tif 000012
【図８】
2007175476.tif 000013
【図９Ａ】
2007175476.tif 000014
【図９Ｂ】
2007175476.tif 000015
【図１０】
2007175476.tif 000016
【図１１】
2007175476.tif 000017
【図１２Ａ】
2007175476.tif 000018
【図１２Ｂ】
2007175476.tif 000019
【図１３Ａ】
2007175476.tif 000020
【図１３Ｂ】
2007175476.tif 000021
【図１４Ａ】
2007175476.tif 000022
【図１４Ｂ】
2007175476.tif 000023
【図１５】
2007175476.tif 000024
【図１６】
2007175476.tif 000025
【図１７】
2007175476.tif 000026
【図１８】
2007175476.tif 000027
【図１９】
2007175476.tif 000028
【図２０】
2007175476.tif 000029
【図２１】
2007175476.tif 000030
【図２２】
2007175476.tif 000031
【図２３】
2007175476.tif 000032
【図２４Ａ】
2007175476.tif 000033
【図２４Ｂ】
2007175476.tif 000034
【図２５】
2007175476.tif 000035